(57)【特許請求の範囲】
【請求項１】
外部からの入力信号に対して、信号処理を施して、出力信号を出力する第１の信号処理部と、
外部の装置と無線又は有線で通信する第１のインタフェース及び第２のインタフェースと、
前記出力信号、前記第１のインタフェースからの受信信号、或いは前記第２のインタフェースからの受信信号のいずれかが選択的に外部出力されるように制御する第１の制御手段と
を有する信号処理装置と、
前記信号処理装置の第１のインタフェースから外部出力された信号を入力信号として受信すると共に、出力信号を前記第１のインタフェースに対して送信する第３のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と、
他の信号処理装置と無線通信する第１の無線通信手段と、
前記第１の無線通信手段が無線通信する前記他の信号処理装置から当該他の信号処理装置の種類を識別するための識別情報を受信し、当該識別情報により特定される種類を検出する検出手段と、
前記検出手段により前記他の信号処理装置の特定の種類が検出された場合、前記他の信号処理装置の前記クラス分類適応処理の機能を変更するように制御する第２の制御手段と
を有する基板又は装置から形成されるアルゴリズムベイと
を備え、
前記他の信号処理装置は、
前記アルゴリズムベイと同様に、外部からの入力信号に対して前記クラス分類適応処理を実行する第３の信号処理部と、
前記第３の信号処理部の機能を切り換えるためそれぞれ異なる特性の係数を記憶するための第３の係数記憶部、及び、第４の係数記憶部と、
前記第３の信号処理部による信号処理結果を前記信号処理装置の前記第２のインタフェースに対して出力する第４のインタフェースと、
前記アルゴリズムベイと無線通信する第２の無線通信手段と
を有し、
前記信号処理装置に前記アルゴリズムベイが装着されていないときは、前記第１の信号処理部からの出力信号が外部出力され、
次に、前記信号処理装置に前記アルゴリズムベイが装着されると、前記信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記信号処理装置より外部出力され、
さらに、前記検出手段により前記他の信号処理装置の特定の種類が検出されたとき、前記第２の制御手段は、前記検出手段により検出された前記他の信号処理装置の種類に従って、前記第２の信号処理部における前記クラス分類適応処理に利用する係数を、これまで利用していた前記第１の係数記憶部に記憶される前記第１の係数から、前記第２の係数記憶部に記憶される前記第２の係数に変更すると共に、前記第１及び第２の無線通信手段を介して、前記第３の信号処理部における係数の読み出しを、前記第３の係数記憶部から前記第４の係数記憶部に切り換えるように制御し、
前記第３の信号処理部による信号処理結果が、前記第４のインタフェース、前記第２のインタフェース、第１のインタフェース、および第３のインタフェースを介して前記第２の信号処理部に対して送信され、
前記第１の制御手段は、前記第３のインタフェース及び前記第１のインタフェースを介して受信された、前記第２の信号処理部の信号処理結果が出力されるように制御する
ことを特徴とする信号処理システム。
【請求項２】
前記第１の係数記憶部と前記第３の係数記憶部には、予め学習された第１の係数、第３の係数がそれぞれ記憶されているが、前記第２の係数記憶部と前記第４の係数記憶部には、未だ第２の係数、第４の係数は記憶されておらず、それらの係数を生成するための係数種を前記第２の係数記憶部が記憶しており、
前記第２の制御手段は、前記検出手段により検出された前記他の信号処理装置の種類に従って、前記第３の信号処理部における係数の読み出しを、第３の係数記憶部から第４の係数記憶部に切り換え、
前記第２の制御手段の制御のもと、前記係数種に応じて前記第３の信号処理部がクラス分類適応処理を行うための係数が生成され、前記第２の係数記憶部に一部の係数が、前記第４の係数記憶部に他部の係数が記憶され、
前記信号処理装置の前記第１の制御手段は、前記第４のインタフェース及び第２のインタフェースを介して受信された、前記第３の信号処理部における、前記第２の係数記憶部及び前記第４の係数記憶部に記憶される係数に応じたクラス分類適応処理の処理結果が出力されるように制御する
ことを特徴とする請求項１に記載の信号処理システム。
【請求項３】
前記第１の無線通信手段により、前記他の信号処理装置からの識別情報に加え、更なる他の信号処理装置からの識別情報が受信されたとき、
前記他の信号処理装置を第１の他の信号処理装置とし、
前記更なる他の信号処理装置を第２の他の信号処理装置とし、
前記第２の他の信号処理装置は、
前記アルゴリズムベイと同様に、外部からの入力信号に対して前記クラス分類適応処理を実行する第４の信号処理部と、
前記第４の信号処理部の機能を切り換えるためそれぞれ異なる特性の係数を記憶するための第５の係数記憶部、及び、第６の係数記憶部と、
前記第４の信号処理部による信号処理結果を前記信号処理装置の前記第２のインタフェースに対して出力する第５のインタフェースと、
前記アルゴリズムベイと無線通信する第３の無線通信手段と
を有し、
前記第１の係数記憶部、前記第３の係数記憶部、及び第５の係数記憶部には、予め学習された第１の係数、第３の係数、及び第５の係数がそれぞれ記憶されているが、前記第２の係数記憶部、前記第４の係数記憶部、及び第６の係数記憶部には、未だ第２の係数、第４の係数、第６の係数は記憶されておらず、それらの係数を生成するための係数種を前記第２の係数記憶部が記憶しており、
前記第１の制御手段により前記第１の他の信号処理装置が選択されると、
前記第２の制御手段は、前記第３の信号処理部における係数の読み出しを、第３の係数記憶部から第４の係数記憶部に切り換え、
前記第２の制御手段の制御のもと、前記係数種に応じて前記第３の信号処理部がクラス分類適応処理を行うための係数が生成され、前記第２の係数記憶部、前記第４の係数記憶部、及び前記第６の係数記憶部に亘って係数が記憶され、
前記信号処理装置の前記第１の制御手段は、前記第４のインタフェース及び前記第２のインタフェースを介して受信された、前記第３の信号処理部における、前記第２の係数記憶部、前記第４の係数記憶部、及び前記第６の係数記憶部に記憶される係数に応じたクラス分類適応処理の処理結果が出力されるように制御する
ことを特徴とする請求項１に記載の信号処理システム。
【請求項４】
外部からの入力信号に対して、信号処理を施して、出力信号を出力する第１の信号処理部と、
外部の装置と無線又は有線で通信する第１のインタフェース及び第２のインタフェースと
を有する信号処理装置と、
前記信号処理装置の第１のインタフェースから外部出力された信号を入力信号として受信すると共に、出力信号を前記第１のインタフェースに対して送信する第３のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と
他の信号処理装置と無線通信する第１の無線通信手段と
を有する基板又は装置から形成されるアルゴリズムベイと
を備え、
前記他の信号処理装置は、
前記アルゴリズムベイと同様に、外部からの入力信号に対して前記クラス分類適応処理を実行する第３の信号処理部と、
前記第３の信号処理部の機能を切り換えるためそれぞれ異なる特性の係数を記憶するための第３の係数記憶部、及び、第４の係数記憶部と、
前記第３の信号処理部による信号処理結果を前記信号処理装置の前記第２のインタフェースに対して出力する第４のインタフェースと、
前記アルゴリズムベイと無線通信する第２の無線通信手段と
を有し、
前記信号処理装置が、前記第１の信号処理部からの出力信号、前記第１のインタフェースからの受信信号、或いは前記第２のインタフェースからの受信信号のいずれかが選択的に外部出力されるように制御し、
前記アルゴリズムベイが、
前記第１の無線通信手段が無線通信する前記他の信号処理装置から当該他の信号処理装置の種類を識別するための識別情報を受信し、当該識別情報により特定される種類を検出し、
前記他の信号処理装置の特定の種類が検出された場合、前記他の信号処理装置の前記クラス分類適応処理の機能を変更するように制御し、
前記信号処理装置に前記アルゴリズムベイが装着されていないときは、前記第１の信号処理部からの出力信号が外部出力され、
次に、前記信号処理装置に前記アルゴリズムベイが装着されると、前記信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記信号処理装置より外部出力され、
さらに、前記アルゴリズムベイにより、前記他の信号処理装置の特定の種類が検出されたとき、検出された前記他の信号処理装置の種類に従って、前記第２の信号処理部における前記クラス分類適応処理に利用する係数が、これまで利用していた前記第１の係数記憶部に記憶される前記第１の係数から、前記第２の係数記憶部に記憶される前記第２の係数に変更されると共に、前記第１及び第２の無線通信手段を介して、前記第３の信号処理部における係数の読み出しが、前記第３の係数記憶部から前記第４の係数記憶部に切り換えるように制御され、
前記第３の信号処理部による信号処理結果が、前記第４のインタフェース、前記第２のインタフェース、第１のインタフェース、および第３のインタフェースを介して前記第２の信号処理部に対して送信され、
前記信号処理装置により、前記第３のインタフェース及び前記第１のインタフェースを介して受信された、前記第２の信号処理部の信号処理結果が出力されるように制御される
ことを特徴とする信号処理方法。
【請求項５】
外部からの入力信号に対して、信号処理を施して、出力信号を出力する第１の信号処理部と、
外部の装置と無線又は有線で通信する第１のインタフェース及び第２のインタフェースと、
前記出力信号、前記第１のインタフェースからの受信信号、或いは前記第２のインタフェースからの受信信号のいずれかが選択的に外部出力されるように制御する第１の制御手段と
を有する第１の他の信号処理装置に接続され、
前記第１の他の信号処理装置の第１のインタフェースから外部出力された信号を入力信号として受信すると共に、出力信号を前記第１のインタフェースに対して送信する第３のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と、
第２の他の信号処理装置と無線通信する第１の無線通信手段と、
前記第１の無線通信手段が無線通信する前記第２の他の信号処理装置から当該第２の他の信号処理装置の種類を識別するための識別情報を受信し、当該識別情報により特定される種類を検出する検出手段と、
前記検出手段により前記第２の他の信号処理装置の特定の種類が検出された場合、前記第２の他の信号処理装置の前記クラス分類適応処理の機能を変更するように制御する第２の制御手段と
を備える信号処理装置であり、
前記第２の他の信号処理装置は、
前記信号処理装置と同様に、外部からの入力信号に対して前記クラス分類適応処理を実行する第３の信号処理部と、
前記第３の信号処理部の機能を切り換えるためそれぞれ異なる特性の係数を記憶するための第３の係数記憶部、及び、第４の係数記憶部と、
前記第３の信号処理部による信号処理結果を前記第１の他の信号処理装置の前記第２のインタフェースに対して出力する第４のインタフェースと、
前記信号処理装置と無線通信する第２の無線通信手段と
を有し、
前記第１の他の信号処理装置に前記信号処理装置が装着されていないときは、前記第１の信号処理部からの出力信号が外部出力され、
次に、前記第１の他の信号処理装置に前記信号処理装置が装着されると、前記第１の他の信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記第１の他の信号処理装置より外部出力され、
さらに、前記検出手段により前記第２の他の信号処理装置の特定の種類が検出されたとき、前記第２の制御手段は、前記検出手段により検出された前記第２の他の信号処理装置の種類に従って、前記第２の信号処理部における前記クラス分類適応処理に利用する係数を、これまで利用していた前記第１の係数記憶部に記憶される前記第１の係数から、前記第２の係数記憶部に記憶される前記第２の係数に変更すると共に、前記第１及び第２の無線通信手段を介して、前記第３の信号処理部における係数の読み出しを、前記第３の係数記憶部から前記第４の係数記憶部に切り換えるように制御し、
前記第３の信号処理部による信号処理結果が、前記第４のインタフェース、前記第２のインタフェース、第１のインタフェース、および第３のインタフェースを介して前記第２の信号処理部に対して送信され、
前記第１の制御手段は、前記第３のインタフェース及び前記第１のインタフェースを介して受信された、前記第２の信号処理部の信号処理結果が出力されるように制御する
ことを特徴とする信号処理装置。
【請求項６】
前記第１の係数記憶部と前記第３の係数記憶部には、予め学習された第１の係数、第３の係数がそれぞれ記憶されているが、前記第２の係数記憶部と前記第４の係数記憶部には、未だ第２の係数、第４の係数は記憶されておらず、それらの係数を生成するための係数種を前記第２の係数記憶部が記憶しており、
前記第２の制御手段は、前記検出手段により検出された前記第２の他の信号処理装置の種類に従って、前記第３の信号処理部における係数の読み出しを、第３の係数記憶部から第４の係数記憶部に切り換え、
前記第２の制御手段の制御のもと、前記係数種に応じて前記第３の信号処理部がクラス分類適応処理を行うための係数が生成され、前記第２の係数記憶部に一部の係数が、前記第４の係数記憶部に他部の係数が記憶され、
前記第１の他の信号処理装置の前記第１の制御手段は、前記第４のインタフェース及び第２のインタフェースを介して受信された、前記第３の信号処理部における、前記第２の係数記憶部及び前記第４の係数記憶部に記憶される係数に応じたクラス分類適応処理の処理結果が出力されるように制御する
ことを特徴とする請求項５に記載の信号処理装置。
【請求項７】
前記第１の無線通信手段により、前記第２の他の信号処理装置からの識別情報に加え、更なる他の信号処理装置からの識別情報が受信されたとき、
前記更なる他の信号処理装置を第３の他の信号処理装置とし、
前記第３の他の信号処理装置は、
前記信号処理装置と同様に、外部からの入力信号に対して前記クラス分類適応処理を実行する第４の信号処理部と、
前記第４の信号処理部の機能を切り換えるためそれぞれ異なる特性の係数を記憶するための第５の係数記憶部、及び、第６の係数記憶部と、
前記第４の信号処理部による信号処理結果を前記第１の他の信号処理装置の前記第２のインタフェースに対して出力する第５のインタフェースと、
前記信号処理装置と無線通信する第３の無線通信手段と
を有し、
前記第１の係数記憶部、前記第３の係数記憶部、及び第５の係数記憶部には、予め学習された第１の係数、第３の係数、及び第５の係数がそれぞれ記憶されているが、前記第２の係数記憶部、前記第４の係数記憶部、及び第６の係数記憶部には、未だ第２の係数、第４の係数、第６の係数は記憶されておらず、それらの係数を生成するための係数種を前記第２の係数記憶部が記憶しており、
前記第１の制御手段により前記第２の他の信号処理装置が選択されると、
前記第２の制御手段は、前記第３の信号処理部における係数の読み出しを、第３の係数記憶部から第４の係数記憶部に切り換え、
前記第２の制御手段の制御のもと、前記係数種に応じて前記第３の信号処理部がクラス分類適応処理を行うための係数が生成され、前記第２の係数記憶部、前記第４の係数記憶部、及び前記第６の係数記憶部に亘って係数が記憶され、
前記第１の他の信号処理装置の前記第１の制御手段は、前記第４のインタフェース及び前記第２のインタフェースを介して受信された、前記第３の信号処理部における、前記第２の係数記憶部、前記第４の係数記憶部、及び前記第６の係数記憶部に記憶される係数に応じたクラス分類適応処理の処理結果が出力されるように制御する
ことを特徴とする請求項５に記載の信号処理装置。
【請求項８】
外部からの入力信号に対して、信号処理を施して、出力信号を出力する第１の信号処理部と、
外部の装置と無線又は有線で通信する第１のインタフェース及び第２のインタフェースと、
前記出力信号、前記第１のインタフェースからの受信信号、或いは前記第２のインタフェースからの受信信号のいずれかが選択的に外部出力されるように制御する第１の制御手段と
を有する第１の他の信号処理装置に接続され、
前記第１の他の信号処理装置の第１のインタフェースから外部出力された信号を入力信号として受信すると共に、出力信号を前記第１のインタフェースに対して送信する第３のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と、
第２の他の信号処理装置と無線通信する第１の無線通信手段と
を有する基板又は信号処理装置が、
前記第１の無線通信手段が無線通信する前記第２の他の信号処理装置から当該第２の他の信号処理装置の種類を識別するための識別情報を受信し、当該識別情報により特定される種類を検出し、
前記第２の他の信号処理装置の特定の種類が検出された場合、前記第２の他の信号処理装置の前記クラス分類適応処理の機能を変更するように制御する
ステップを含み、
前記第２の他の信号処理装置は、
前記基板又は信号処理装置と同様に、外部からの入力信号に対して前記クラス分類適応処理を実行する第３の信号処理部と、
前記第３の信号処理部の機能を切り換えるためそれぞれ異なる特性の係数を記憶するための第３の係数記憶部、及び、第４の係数記憶部と、
前記第３の信号処理部による信号処理結果を前記第１の他の信号処理装置の前記第２のインタフェースに対して出力する第４のインタフェースと、
前記基板又は信号処理装置と無線通信する第２の無線通信手段と
を有し、
前記第１の他の信号処理装置に前記基板又は信号処理装置が装着されていないときは、前記第１の信号処理部からの出力信号が外部出力され、
次に、前記第１の他の信号処理装置に前記基板又は信号処理装置が装着されると、前記第１の他の信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記第１の他の信号処理装置より外部出力され、
さらに、前記基板又は信号処理装置により、前記第２の他の信号処理装置の特定の種類が検出されたとき、検出された前記第２の他の信号処理装置の特定の種類に従って、前記第２の信号処理部における前記クラス分類適応処理に利用する係数が、これまで利用していた前記第１の係数記憶部に記憶される前記第１の係数から、前記第２の係数記憶部に記憶される前記第２の係数に変更されると共に、前記第１及び第２の無線通信手段を介して、前記第３の信号処理部における係数の読み出しが、前記第３の係数記憶部から前記第４の係数記憶部に切り換えるように制御され、
前記第３の信号処理部による信号処理結果が、前記第４のインタフェース、前記第２のインタフェース、第１のインタフェース、および第３のインタフェースを介して前記第２の信号処理部に対して送信され、
前記第１の制御手段により、前記第３のインタフェース及び前記第１のインタフェースを介して受信された、前記第２の信号処理部の信号処理結果が出力されるように制御される
ことを特徴とする信号処理方法。
【請求項９】
外部からの入力信号に対して、信号処理を施して、出力信号を出力する第１の信号処理部と、
外部の装置と無線又は有線で通信する第１のインタフェース及び第２のインタフェースと、
前記出力信号、前記第１のインタフェースからの受信信号、或いは前記第２のインタフェースからの受信信号のいずれかが選択的に外部出力されるように制御する第１の制御手段と
を有する第１の他の信号処理装置に接続され、
前記第１の他の信号処理装置の第１のインタフェースから外部出力された信号を入力信号として受信すると共に、出力信号を前記第１のインタフェースに対して送信する第３のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と、
第２の他の信号処理装置と無線通信する第１の無線通信手段と
を有する基板又は信号処理装置が、
前記第１の無線通信手段が無線通信する前記第２の他の信号処理装置から当該第２の他の信号処理装置の種類を識別するための識別情報を受信し、当該識別情報により特定される種類を検出し、
前記第２の他の信号処理装置の特定の種類が検出された場合、前記第２の他の信号処理装置の前記クラス分類適応処理の機能を変更するように制御する
ステップを含み、
前記第２の他の信号処理装置は、
前記基板又は信号処理装置と同様に、外部からの入力信号に対して前記クラス分類適応処理を実行する第３の信号処理部と、
前記第３の信号処理部の機能を切り換えるためそれぞれ異なる特性の係数を記憶するための第３の係数記憶部、及び、第４の係数記憶部と、
前記第３の信号処理部による信号処理結果を前記第１の他の信号処理装置の前記第２のインタフェースに対して出力する第４のインタフェースと、
前記基板又は信号処理装置と無線通信する第２の無線通信手段と
を有し、
前記第１の他の信号処理装置に前記基板又は信号処理装置が装着されていないときは、前記第１の信号処理部からの出力信号が外部出力され、
次に、前記第１の他の信号処理装置に前記基板又は信号処理装置が装着されると、前記第１の他の信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記第１の他の信号処理装置より外部出力され、
さらに、前記前記基板又は信号処理装置により、前記第２の他の信号処理装置の特定の種類が検出されたとき、検出された前記第２の他の信号処理装置の特定の種類に従って、前記第２の信号処理部における前記クラス分類適応処理に利用する係数が、これまで利用していた前記第１の係数記憶部に記憶される前記第１の係数から、前記第２の係数記憶部に記憶される前記第２の係数に変更されると共に、前記第１及び第２の無線通信手段を介して、前記第３の信号処理部における係数の読み出しが、前記第３の係数記憶部から前記第４の係数記憶部に切り換えるように制御され、
前記第３の信号処理部による信号処理結果が、前記第４のインタフェース、前記第２のインタフェース、第１のインタフェース、および第３のインタフェースを介して前記第２の信号処理部に対して送信され、
前記第１の制御手段により、前記第３のインタフェース及び前記第１のインタフェースを介して受信された、前記第２の信号処理部の信号処理結果が出力されるように制御される
ことを特徴とするコンピュータが読み取り可能なプログラムが記録されている記録媒体。
【請求項１０】
外部からの入力信号に対して、信号処理を施して、出力信号を出力する第１の信号処理部と、
外部の装置と無線又は有線で通信する第１のインタフェース及び第２のインタフェースと、
前記出力信号、前記第１のインタフェースからの受信信号、或いは前記第２のインタフェースからの受信信号のいずれかが選択的に外部出力されるように制御する第１の制御手段と
を有する第１の他の信号処理装置に接続され、
前記第１の他の信号処理装置の第１のインタフェースから外部出力された信号を入力信号として受信すると共に、出力信号を前記第１のインタフェースに対して送信する第３のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と、
第２の他の信号処理装置と無線通信する第１の無線通信手段と
を有する基板又は信号処理装置が、
前記第１の無線通信手段が無線通信する前記第２の他の信号処理装置から当該第２の他の信号処理装置の種類を識別するための識別情報を受信し、当該識別情報により特定される種類を検出し、
前記第２の他の信号処理装置の特定の種類が検出された場合、前記第２の他の信号処理装置の前記クラス分類適応処理の機能を変更するように制御する
ステップを含み、
前記第２の他の信号処理装置は、
前記基板又は信号処理装置と同様に、外部からの入力信号に対して前記クラス分類適応処理を実行する第３の信号処理部と、
前記第３の信号処理部の機能を切り換えるためそれぞれ異なる特性の係数を記憶するための第３の係数記憶部、及び、第４の係数記憶部と、
前記第３の信号処理部による信号処理結果を前記第１の他の信号処理装置の前記第２のインタフェースに対して出力する第４のインタフェースと、
前記基板又は信号処理装置と無線通信する第２の無線通信手段と
を有し、
前記第１の他の信号処理装置に前記基板又は信号処理装置が装着されていないときは、前記第１の信号処理部からの出力信号が外部出力され、
次に、前記第１の他の信号処理装置に前記基板又は信号処理装置が装着されると、前記第１の他の信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記第１の他の信号処理装置より外部出力され、
さらに、前記前記基板又は信号処理装置により、前記第２の他の信号処理装置の特定の種類が検出されたとき、検出された前記第２の他の信号処理装置の特定の種類に従って、前記第２の信号処理部における前記クラス分類適応処理に利用する係数が、これまで利用していた前記第１の係数記憶部に記憶される前記第１の係数から、前記第２の係数記憶部に記憶される前記第２の係数に変更されると共に、前記第１及び第２の無線通信手段を介して、前記第３の信号処理部における係数の読み出しが、前記第３の係数記憶部から前記第４の係数記憶部に切り換えるように制御され、
前記第３の信号処理部による信号処理結果が、前記第４のインタフェース、前記第２のインタフェース、第１のインタフェース、および第３のインタフェースを介して前記第２の信号処理部に対して送信され、
前記第１の制御手段により、前記第３のインタフェース及び前記第１のインタフェースを介して受信された、前記第２の信号処理部の信号処理結果が出力されるように制御される
ことを特徴とするプログラム。
【請求項１１】
外部からの入力信号に対して、信号処理を施して、出力信号を出力する第１の信号処理部と、
外部の装置と無線又は有線で通信する第１のインタフェース及び第２のインタフェースと、
前記出力信号、前記第１のインタフェースからの受信信号、或いは前記第２のインタフェースからの受信信号のいずれかが選択的に外部出力されるように制御する第１の制御手段と
を有する第１の他の信号処理装置に接続され、
前記第１の他の信号処理装置の第１のインタフェースから外部出力された信号を入力信号として受信すると共に、出力信号を前記第１のインタフェースに対して送信する第３のインタフェースと、
入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、
入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、
前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と、
第２の他の信号処理装置と無線通信する第１の無線通信手段と、
前記第１の無線通信手段が無線通信する前記第２の他の信号処理装置から当該第２の他の信号処理装置の種類を識別するための識別情報を受信し、当該識別情報により特定される種類を検出する検出手段と、
前記検出手段により前記第２の他の信号処理装置の特定の種類が検出された場合、前記第２の他の信号処理装置の前記クラス分類適応処理の機能を変更するように制御する第２の制御手段と
を備える基板であり、
前記第２の他の信号処理装置は、
前記基板と同様に、外部からの入力信号に対して前記クラス分類適応処理を実行する第３の信号処理部と、
前記第３の信号処理部の機能を切り換えるためそれぞれ異なる特性の係数を記憶するための第３の係数記憶部、及び、第４の係数記憶部と、
前記第３の信号処理部による信号処理結果を前記第１の他の信号処理装置の前記第２のインタフェースに対して出力する第４のインタフェースと、
前記基板と無線通信する第２の無線通信手段と
を有し、
前記第１の他の信号処理装置に前記基板が装着されていないときは、前記第１の信号処理部からの出力信号が外部出力され、
次に、前記第１の他の信号処理装置に前記基板が装着されると、前記第１の他の信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記第１の他の信号処理装置より外部出力され、
さらに、前記検出手段により前記第２の他の信号処理装置の特定の種類が検出されたとき、前記第２の制御手段は、前記検出手段により検出された前記第２の他の信号処理装置の種類に従って、前記第２の信号処理部における前記クラス分類適応処理に利用する係数を、これまで利用していた前記第１の係数記憶部に記憶される前記第１の係数から、前記第２の係数記憶部に記憶される前記第２の係数に変更すると共に、前記第１及び第２の無線通信手段を介して、前記第３の信号処理部における係数の読み出しを、前記第３の係数記憶部から前記第４の係数記憶部に切り換えるように制御し、
前記第３の信号処理部による信号処理結果が、前記第４のインタフェース、前記第２のインタフェース、第１のインタフェース、および第３のインタフェースを介して前記第２の信号処理部に対して送信され、
前記第１の制御手段は、前記第３のインタフェース及び前記第１のインタフェースを介して受信された、前記第２の信号処理部の信号処理結果が出力されるように制御する
ことを特徴とする基板。
【請求項１２】
前記第１の係数記憶部と前記第３の係数記憶部には、予め学習された第１の係数、第３の係数がそれぞれ記憶されているが、前記第２の係数記憶部と前記第４の係数記憶部には、未だ第２の係数、第４の係数は記憶されておらず、それらの係数を生成するための係数種を前記第２の係数記憶部が記憶しており、
前記第２の制御手段は、前記検出手段により検出された前記第２の他の信号処理装置の種類に従って、前記第３の信号処理部における係数の読み出しを、第３の係数記憶部から第４の係数記憶部に切り換え、
前記第２の制御手段の制御のもと、前記係数種に応じて前記第３の信号処理部がクラス分類適応処理を行うための係数が生成され、前記第２の係数記憶部に一部の係数が、前記第４の係数記憶部に他部の係数が記憶され、
前記第１の他の信号処理装置の前記第１の制御手段は、前記第４のインタフェース及び第２のインタフェースを介して受信された、前記第３の信号処理部における、前記第２の係数記憶部及び前記第４の係数記憶部に記憶される係数に応じたクラス分類適応処理の処理結果が出力されるように制御する
ことを特徴とする請求項１１に記載の基板。
【請求項１３】
前記第１の無線通信手段により、前記第２の他の信号処理装置からの識別情報に加え、更なる他の信号処理装置からの識別情報が受信されたとき、
前記更なる他の信号処理装置を第３の他の信号処理装置とし、
前記第３の他の信号処理装置は、
前記基板と同様に、外部からの入力信号に対して前記クラス分類適応処理を実行する第４の信号処理部と、
前記第４の信号処理部の機能を切り換えるためそれぞれ異なる特性の係数を記憶するための第５の係数記憶部、及び、第６の係数記憶部と、
前記第４の信号処理部による信号処理結果を前記第１の他の信号処理装置の前記第２のインタフェースに対して出力する第５のインタフェースと、
前記基板と無線通信する第３の無線通信手段と
を有し、
前記第１の係数記憶部、前記第３の係数記憶部、及び第５の係数記憶部には、予め学習された第１の係数、第３の係数、及び第５の係数がそれぞれ記憶されているが、前記第２の係数記憶部、前記第４の係数記憶部、及び第６の係数記憶部には、未だ第２の係数、第４の係数、第６の係数は記憶されておらず、それらの係数を生成するための係数種を前記第２の係数記憶部が記憶しており、
前記第１の制御手段により前記第２の他の信号処理装置が選択されると、
前記第２の制御手段は、前記第３の信号処理部における係数の読み出しを、第３の係数記憶部から第４の係数記憶部に切り換え、
前記第２の制御手段の制御のもと、前記係数種に応じて前記第３の信号処理部がクラス分類適応処理を行うための係数が生成され、前記第２の係数記憶部、前記第４の係数記憶部、及び前記第６の係数記憶部に亘って係数が記憶され、
前記第１の他の信号処理装置の前記第１の制御手段は、前記第４のインタフェース及び前記第２のインタフェースを介して受信された、前記第３の信号処理部における、前記第２の係数記憶部、前記第４の係数記憶部、及び前記第６の係数記憶部に記憶される係数に応じたクラス分類適応処理の処理結果が出力されるように制御する
ことを特徴とする請求項１１に記載の基板。
【発明の詳細な説明】
【０００１】
【発明の属する技術分野】
本発明は、信号処理システムおよび方法、基板、信号処理装置および方法、記録媒体、並びにプログラムに関し、特に、信号処理装置の信号処理の複数の機能を選択し、利用することができるようにした信号処理システムおよび方法、基板、信号処理装置および方法、記録媒体、並びにプログラムに関する。
【０００２】
【従来の技術】
入力した信号に、所定の信号処理を施して出力する信号処理装置に対して基板を装着し、その信号処理の内容を変更するための情報を、基板から有線で信号処理装置に供給するようにすることが知られている。この場合、例えば、信号処理装置のバスに基板が接続されることで、情報が基板から信号処理装置にバスを介して供給される。
【０００３】
【発明が解決しようとする課題】
ところで、従来、基板には、信号処理装置の信号処理の１つの機能に対応する情報しか対応づけられていなかった。従って、信号処理装置に対して、複数の機能を割り付ける場合、複数の基板を用意しなければならず、その保管が面倒になる課題があった。また、機能を変更する場合、ユーザは、変更する機能に対応する基板を探し、装着しなければならず、操作性が悪いという課題があった。
【０００４】
本発明は、このような状況に鑑みてなされたものであり、信号処理装置の信号処理の複数の機能を簡単に選択し、利用することができるようにするものである。
【０００５】
【課題を解決するための手段】
本発明の信号処理システムは、外部からの入力信号に対して、信号処理を施して、出力信号を出力する第１の信号処理部と、外部の装置と無線又は有線で通信する第１のインタフェース及び第２のインタフェースと、前記出力信号、前記第１のインタフェースからの受信信号、或いは前記第２のインタフェースからの受信信号のいずれかが選択的に外部出力されるように制御する第１の制御手段とを有する信号処理装置と、前記信号処理装置の第１のインタフェースから外部出力された信号を入力信号として受信すると共に、出力信号を前記第１のインタフェースに対して送信する第３のインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と、他の信号処理装置と無線通信する第１の無線通信手段と、前記第１の無線通信手段が無線通信する前記他の信号処理装置から当該他の信号処理装置の種類を識別するための識別情報を受信し、当該識別情報により特定される種類を検出する検出手段と、前記検出手段により前記他の信号処理装置の特定の種類が検出された場合、前記他の信号処理装置の前記クラス分類適応処理の機能を変更するように制御する第２の制御手段とを有する基板又は装置から形成されるアルゴリズムベイとを備え、前記他の信号処理装置は、前記アルゴリズムベイと同様に、外部からの入力信号に対して前記クラス分類適応処理を実行する第３の信号処理部と、前記第３の信号処理部の機能を切り換えるためそれぞれ異なる特性の係数を記憶するための第３の係数記憶部、及び、第４の係数記憶部と、前記第３の信号処理部による信号処理結果を前記信号処理装置の前記第２のインタフェースに対して出力する第４のインタフェースと、前記アルゴリズムベイと無線通信する第２の無線通信手段とを有し、前記信号処理装置に前記アルゴリズムベイが装着されていないときは、前記第１の信号処理部からの出力信号が外部出力され、次に、前記信号処理装置に前記アルゴリズムベイが装着されると、前記信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記信号処理装置より外部出力され、さらに、前記検出手段により前記他の信号処理装置の特定の種類が検出されたとき、前記第２の制御手段は、前記検出手段により検出された前記他の信号処理装置の種類に従って、前記第２の信号処理部における前記クラス分類適応処理に利用する係数を、これまで利用していた前記第１の係数記憶部に記憶される前記第１の係数から、前記第２の係数記憶部に記憶される前記第２の係数に変更すると共に、前記第１及び第２の無線通信手段を介して、前記第３の信号処理部における係数の読み出しを、前記第３の係数記憶部から前記第４の係数記憶部に切り換えるように制御し、前記第３の信号処理部による信号処理結果が、前記第４のインタフェース、前記第２のインタフェース、第１のインタフェース、および第３のインタフェースを介して前記第２の信号処理部に対して送信され、前記第１の制御手段は、前記第３のインタフェース及び前記第１のインタフェースを介して受信された、前記第２の信号処理部の信号処理結果が出力されるように制御することを特徴とする。
【００１０】
第１の係数記憶部と第３の係数記憶部には、予め学習された第１の係数、第３の係数がそれぞれ記憶されているが、第２の係数記憶部と第４の係数記憶部には、未だ第２の係数、第４の係数は記憶されておらず、それらの係数を生成するための係数種を第２の係数記憶部が記憶しており、第２の制御手段は、検出手段により検出された他の信号処理装置の種類に従って、第３の信号処理部における係数の読み出しを、第３の係数記憶部から第４の係数記憶部に切り換え、第２の制御手段の制御のもと、係数種に応じて第３の信号処理部がクラス分類適応処理を行うための係数が生成され、第２の係数記憶部に一部の係数が、第４の係数記憶部に他部の係数が記憶され、信号処理装置の第１の制御手段は、第４のインタフェース及び第２のインタフェースを介して受信された、第３の信号処理部における、第２の係数記憶部及び第４の係数記憶部に記憶される係数に応じたクラス分類適応処理の処理結果が出力されるように制御するようにすることができる。
【００１１】
第１の無線通信手段により、他の信号処理装置からの識別情報に加え、更なる他の信号処理装置からの識別情報が受信されたとき、他の信号処理装置を第１の他の信号処理装置とし、更なる他の信号処理装置を第２の他の信号処理装置とし、第２の他の信号処理装置は、アルゴリズムベイと同様に、外部からの入力信号に対してクラス分類適応処理を実行する第４の信号処理部と、第４の信号処理部の機能を切り換えるためそれぞれ異なる特性の係数を記憶するための第５の係数記憶部、及び、第６の係数記憶部と、第４の信号処理部による信号処理結果を信号処理装置の第２のインタフェースに対して出力する第５のインタフェースと、アルゴリズムベイと無線通信する第３の無線通信手段とを有し、第１の係数記憶部、第３の係数記憶部、及び第５の係数記憶部には、予め学習された第１の係数、第３の係数、及び第５の係数がそれぞれ記憶されているが、第２の係数記憶部、第４の係数記憶部、及び第６の係数記憶部には、未だ第２の係数、第４の係数、第６の係数は記憶されておらず、それらの係数を生成するための係数種を第２の係数記憶部が記憶しており、第１の制御手段により第１の他の信号処理装置が選択されると、第２の制御手段は、第３の信号処理部における係数の読み出しを、第３の係数記憶部から第４の係数記憶部に切り換え、第２の制御手段の制御のもと、係数種に応じて第３の信号処理部がクラス分類適応処理を行うための係数が生成され、第２の係数記憶部、第４の係数記憶部、及び第６の係数記憶部に亘って係数が記憶され、信号処理装置の第１の制御手段は、第４のインタフェース及び第２のインタフェースを介して受信された、第３の信号処理部における、第２の係数記憶部、第４の係数記憶部、及び第６の係数記憶部に記憶される係数に応じたクラス分類適応処理の処理結果が出力されるように制御する。
【００１２】
本発明の信号処理システムの信号処理方法は、外部からの入力信号に対して、信号処理を施して、出力信号を出力する第１の信号処理部と、外部の装置と無線又は有線で通信する第１のインタフェース及び第２のインタフェースとを有する信号処理装置と、信号処理装置の第１のインタフェースから外部出力された信号を入力信号として受信すると共に、出力信号を第１のインタフェースに対して送信する第３のインタフェースと、入力信号の質に相当する生徒データと係数との線形一次結合により当該生徒データよりも高質な教師データを生成するための係数を、生徒データの特徴に応じたクラス毎に学習することにより取得された第１の係数を記憶するための第１の係数記憶部と、入力信号の質に相当する生徒データと係数との線形一次結合により当該生徒データよりも高質であるが教師データとは異なる教師データを生成するための係数を、生徒データの特徴に応じたクラス毎に学習することにより取得された第２の係数を記憶するための第２の係数記憶部と、第３のインタフェースから入力された入力信号の特徴に応じてクラスを決定し、当該クラスに対応する係数を少なくとも第１の係数記憶部から選択可能であり、入力信号と選択された係数との線形一次結合により得られた出力信号を第３のインタフェースに対して出力するクラス分類適応処理を実行する第２の信号処理部と、他の信号処理装置と無線通信する第１の無線通信手段とを有する基板又は装置から形成されるアルゴリズムベイとを備え、他の信号処理装置は、アルゴリズムベイと同様に、外部からの入力信号に対してクラス分類適応処理を実行する第３の信号処理部と、第３の信号処理部の機能を切り換えるためそれぞれ異なる特性の係数を記憶するための第３の係数記憶部、及び、第４の係数記憶部と、第３の信号処理部による信号処理結果を信号処理装置の第２のインタフェースに対して出力する第４のインタフェースと、アルゴリズムベイと無線通信する第２の無線通信手段とを有し、信号処理装置が、第１の信号処理部からの出力信号、第１のインタフェースからの受信信号、或いは第２のインタフェースからの受信信号のいずれかが選択的に外部出力されるように制御し、アルゴリズムベイが、第１の無線通信手段が無線通信する他の信号処理装置から当該他の信号処理装置の種類を識別するための識別情報を受信し、当該識別情報により特定される種類を検出し、他の信号処理装置の特定の種類が検出された場合、他の信号処理装置のクラス分類適応処理の機能を変更するように制御し、信号処理装置にアルゴリズムベイが装着されていないときは、第１の信号処理部からの出力信号が外部出力され、次に、信号処理装置にアルゴリズムベイが装着されると、信号処理装置に対して外部から入力された入力信号が第１のインタフェース及び第３のインタフェースを介して第２の信号処理部に送信され、当該第２の信号処理部の処理結果が第３のインタフェース及び第１のインタフェースを介して信号処理装置より外部出力され、さらに、アルゴリズムベイにより、他の信号処理装置の特定の種類が検出されたとき、検出された他の信号処理装置の種類に従って、第２の信号処理部におけるクラス分類適応処理に利用する係数が、これまで利用していた第１の係数記憶部に記憶される第１の係数から、第２の係数記憶部に記憶される第２の係数に変更されると共に、第１及び第２の無線通信手段を介して、第３の信号処理部における係数の読み出しが、第３の係数記憶部から第４の係数記憶部に切り換えるように制御され、第３の信号処理部による信号処理結果が、第４のインタフェース、第２のインタフェース、第１のインタフェース、および第３のインタフェースを介して第２の信号処理部に対して送信され、信号処理装置により、第３のインタフェース及び第１のインタフェースを介して受信された、第２の信号処理部の信号処理結果が出力されるように制御されることを特徴とする。
【００１３】
本発明の信号処理システムおよび方法においては、外部からの入力信号に対して、信号処理を施して、出力信号を出力する第１の信号処理部と、外部の装置と無線又は有線で通信する第１のインタフェース及び第２のインタフェースとを有する信号処理装置と、信号処理装置の第１のインタフェースから外部出力された信号を入力信号として受信すると共に、出力信号を第１のインタフェースに対して送信する第３のインタフェースと、入力信号の質に相当する生徒データと係数との線形一次結合により当該生徒データよりも高質な教師データを生成するための係数を、生徒データの特徴に応じたクラス毎に学習することにより取得された第１の係数を記憶するための第１の係数記憶部と、入力信号の質に相当する生徒データと係数との線形一次結合により当該生徒データよりも高質であるが教師データとは異なる教師データを生成するための係数を、生徒データの特徴に応じたクラス毎に学習することにより取得された第２の係数を記憶するための第２の係数記憶部と、第３のインタフェースから入力された入力信号の特徴に応じてクラスを決定し、当該クラスに対応する係数を少なくとも第１の係数記憶部から選択可能であり、入力信号と選択された係数との線形一次結合により得られた出力信号を第３のインタフェースに対して出力するクラス分類適応処理を実行する第２の信号処理部と他の信号処理装置と無線通信する第１の無線通信手段とを有する基板又は装置から形成されるアルゴリズムベイとが設けられ、他の信号処理装置には、アルゴリズムベイと同様に、外部からの入力信号に対してクラス分類適応処理を実行する第３の信号処理部と、第３の信号処理部の機能を切り換えるためそれぞれ異なる特性の係数を記憶するための第３の係数記憶部、及び、第４の係数記憶部と、第３の信号処理部による信号処理結果を信号処理装置の第２のインタフェースに対して出力する第４のインタフェースと、アルゴリズムベイと無線通信する第２の無線通信手段とが設けられ、信号処理装置で、第１の信号処理部からの出力信号、第１のインタフェースからの受信信号、或いは第２のインタフェースからの受信信号のいずれかが選択的に外部出力されるように制御され、アルゴリズムベイで、第１の無線通信手段が無線通信する他の信号処理装置から当該他の信号処理装置の種類を識別するための識別情報が受信され、当該識別情報により特定される種類が検出され、他の信号処理装置の特定の種類が検出された場合、他の信号処理装置のクラス分類適応処理の機能が変更されるように制御され、信号処理装置にアルゴリズムベイが装着されていないときは、第１の信号処理部からの出力信号が外部出力され、次に、信号処理装置にアルゴリズムベイが装着されると、信号処理装置に対して外部から入力された入力信号が第１のインタフェース及び第３のインタフェースを介して第２の信号処理部に送信され、当該第２の信号処理部の処理結果が第３のインタフェース及び第１のインタフェースを介して信号処理装置より外部出力され、さらに、アルゴリズムベイで、他の信号処理装置の特定の種類が検出されたとき、検出された他の信号処理装置の種類に従って、第２の信号処理部におけるクラス分類適応処理に利用する係数が、これまで利用していた第１の係数記憶部に記憶される第１の係数から、第２の係数記憶部に記憶される第２の係数に変更されると共に、第１及び第２の無線通信手段を介して、第３の信号処理部における係数の読み出しが、第３の係数記憶部から第４の係数記憶部に切り換えるように制御され、第３の信号処理部による信号処理結果が、第４のインタフェース、第２のインタフェース、第１のインタフェース、および第３のインタフェースを介して第２の信号処理部に対して送信され、信号処理装置で、第３のインタフェース及び第１のインタフェースを介して受信された、第２の信号処理部の信号処理結果が出力されるように制御される。
【００１４】
第１の信号処理装置は、信号を有線または無線で受信する受信専用装置であっても構わないし、信号を有線または無線で送信することも可能な送受信装置であってもよい。
【００１５】
また、アルゴリズムベイは、信号を少なくとも無線にて送信する機能を有する装置であれば、さらに有線で信号を送信可能な送信専用装置であっても構わないし、信号を有線または無線にて受信することも可能な送受信装置であってもよい。
【００２６】
本発明の信号処理装置は、外部からの入力信号に対して、信号処理を施して、出力信号を出力する第１の信号処理部と、外部の装置と無線又は有線で通信する第１のインタフェース及び第２のインタフェースと、前記出力信号、前記第１のインタフェースからの受信信号、或いは前記第２のインタフェースからの受信信号のいずれかが選択的に外部出力されるように制御する第１の制御手段とを有する第１の他の信号処理装置に接続され、前記第１の他の信号処理装置の第１のインタフェースから外部出力された信号を入力信号として受信すると共に、出力信号を前記第１のインタフェースに対して送信する第３のインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と、第２の他の信号処理装置と無線通信する第１の無線通信手段と、前記第１の無線通信手段が無線通信する前記第２の他の信号処理装置から当該第２の他の信号処理装置の種類を識別するための識別情報を受信し、当該識別情報により特定される種類を検出する検出手段と、前記検出手段により前記第２の他の信号処理装置の特定の種類が検出された場合、前記第２の他の信号処理装置の前記クラス分類適応処理の機能を変更するように制御する第２の制御手段とを備える信号処理装置であり、前記第２の他の信号処理装置は、前記信号処理装置と同様に、外部からの入力信号に対して前記クラス分類適応処理を実行する第３の信号処理部と、前記第３の信号処理部の機能を切り換えるためそれぞれ異なる特性の係数を記憶するための第３の係数記憶部、及び、第４の係数記憶部と、前記第３の信号処理部による信号処理結果を前記第１の他の信号処理装置の前記第２のインタフェースに対して出力する第４のインタフェースと、前記信号処理装置と無線通信する第２の無線通信手段とを有し、前記第１の他の信号処理装置に前記信号処理装置が装着されていないときは、前記第１の信号処理部からの出力信号が外部出力され、次に、前記第１の他の信号処理装置に前記信号処理装置が装着されると、前記第１の他の信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記第１の他の信号処理装置より外部出力され、さらに、前記検出手段により前記第２の他の信号処理装置の特定の種類が検出されたとき、前記第２の制御手段は、前記検出手段により検出された前記第２の他の信号処理装置の種類に従って、前記第２の信号処理部における前記クラス分類適応処理に利用する係数を、これまで利用していた前記第１の係数記憶部に記憶される前記第１の係数から、前記第２の係数記憶部に記憶される前記第２の係数に変更すると共に、前記第１及び第２の無線通信手段を介して、前記第３の信号処理部における係数の読み出しを、前記第３の係数記憶部から前記第４の係数記憶部に切り換えるように制御し、前記第３の信号処理部による信号処理結果が、前記第４のインタフェース、前記第２のインタフェース、第１のインタフェース、および第３のインタフェースを介して前記第２の信号処理部に対して送信され、前記第１の制御手段は、前記第３のインタフェース及び前記第１のインタフェースを介して受信された、前記第２の信号処理部の信号処理結果が出力されるように制御することを特徴とする。
【００３１】
第１の係数記憶部と第３の係数記憶部には、予め学習された第１の係数、第３の係数がそれぞれ記憶されているが、第２の係数記憶部と第４の係数記憶部には、未だ第２の係数、第４の係数は記憶されておらず、それらの係数を生成するための係数種を第２の係数記憶部が記憶しており、第２の制御手段は、検出手段により検出された第２の他の信号処理装置の種類に従って、第３の信号処理部における係数の読み出しを、第３の係数記憶部から第４の係数記憶部に切り換え、第２の制御手段の制御のもと、係数種に応じて第３の信号処理部がクラス分類適応処理を行うための係数が生成され、第２の係数記憶部に一部の係数が、第４の係数記憶部に他部の係数が記憶され、第１の他の信号処理装置の第１の制御手段は、第４のインタフェース及び第２のインタフェースを介して受信された、第３の信号処理部における、第２の係数記憶部及び第４の係数記憶部に記憶される係数に応じたクラス分類適応処理の処理結果が出力されるように制御するようにすることができる。
【００３２】
前記第１の無線通信手段により、前記第２の他の信号処理装置からの識別情報に加え、更なる他の信号処理装置からの識別情報が受信されたとき、前記更なる他の信号処理装置を第３の他の信号処理装置とし、前記第３の他の信号処理装置は、前記信号処理装置と同様に、外部からの入力信号に対して前記クラス分類適応処理を実行する第４の信号処理部と、前記第４の信号処理部の機能を切り換えるためそれぞれ異なる特性の係数を記憶するための第５の係数記憶部、及び、第６の係数記憶部と、前記第４の信号処理部による信号処理結果を前記第１の他の信号処理装置の前記第２のインタフェースに対して出力する第５のインタフェースと、前記信号処理装置と無線通信する第３の無線通信手段とを有し、前記第１の係数記憶部、前記第３の係数記憶部、及び第５の係数記憶部には、予め学習された第１の係数、第３の係数、及び第５の係数がそれぞれ記憶されているが、前記第２の係数記憶部、前記第４の係数記憶部、及び第６の係数記憶部には、未だ第２の係数、第４の係数、第６の係数は記憶されておらず、それらの係数を生成するための係数種を前記第２の係数記憶部が記憶しており、前記第１の制御手段により前記第２の他の信号処理装置が選択されると、前記第２の制御手段は、前記第３の信号処理部における係数の読み出しを、第３の係数記憶部から第４の係数記憶部に切り換え、前記第２の制御手段の制御のもと、前記係数種に応じて前記第３の信号処理部がクラス分類適応処理を行うための係数が生成され、前記第２の係数記憶部、前記第４の係数記憶部、及び前記第６の係数記憶部に亘って係数が記憶され、前記第１の他の信号処理装置の前記第１の制御手段は、前記第４のインタフェース及び前記第２のインタフェースを介して受信された、前記第３の信号処理部における、前記第２の係数記憶部、前記第４の係数記憶部、及び前記第６の係数記憶部に記憶される係数に応じたクラス分類適応処理の処理結果が出力されるように制御することを特徴とする。
【００３３】
本発明の基板又は信号処理装置の信号処理方法は、外部からの入力信号に対して、信号処理を施して、出力信号を出力する第１の信号処理部と、外部の装置と無線又は有線で通信する第１のインタフェース及び第２のインタフェースと、出力信号、第１のインタフェースからの受信信号、或いは第２のインタフェースからの受信信号のいずれかが選択的に外部出力されるように制御する第１の制御手段とを有する第１の他の信号処理装置に接続され、第１の他の信号処理装置の第１のインタフェースから外部出力された信号を入力信号として受信すると共に、出力信号を第１のインタフェースに対して送信する第３のインタフェースと、入力信号の質に相当する生徒データと係数との線形一次結合により当該生徒データよりも高質な教師データを生成するための係数を、生徒データの特徴に応じたクラス毎に学習することにより取得された第１の係数を記憶するための第１の係数記憶部と、入力信号の質に相当する生徒データと係数との線形一次結合により当該生徒データよりも高質であるが教師データとは異なる教師データを生成するための係数を、生徒データの特徴に応じたクラス毎に学習することにより取得された第２の係数を記憶するための第２の係数記憶部と、第３のインタフェースから入力された入力信号の特徴に応じてクラスを決定し、当該クラスに対応する係数を少なくとも第１の係数記憶部から選択可能であり、入力信号と選択された係数との線形一次結合により得られた出力信号を第３のインタフェースに対して出力するクラス分類適応処理を実行する第２の信号処理部と、第２の他の信号処理装置と無線通信する第１の無線通信手段とを有する基板又は信号処理装置が、第１の無線通信手段が無線通信する第２の他の信号処理装置から当該第２の他の信号処理装置の種類を識別するための識別情報を受信し、当該識別情報により特定される種類を検出し、第２の他の信号処理装置の特定の種類が検出された場合、第２の他の信号処理装置のクラス分類適応処理の機能を変更するように制御するステップを含み、第２の他の信号処理装置は、基板又は信号処理装置と同様に、外部からの入力信号に対してクラス分類適応処理を実行する第３の信号処理部と、第３の信号処理部の機能を切り換えるためそれぞれ異なる特性の係数を記憶するための第３の係数記憶部、及び、第４の係数記憶部と、第３の信号処理部による信号処理結果を第１の他の信号処理装置の第２のインタフェースに対して出力する第４のインタフェースと、基板又は信号処理装置と無線通信する第２の無線通信手段とを有し、第１の他の信号処理装置に基板又は信号処理装置が装着されていないときは、第１の信号処理部からの出力信号が外部出力され、次に、第１の他の信号処理装置に基板又は信号処理装置が装着されると、第１の他の信号処理装置に対して外部から入力された入力信号が第１のインタフェース及び第３のインタフェースを介して第２の信号処理部に送信され、当該第２の信号処理部の処理結果が第３のインタフェース及び第１のインタフェースを介して第１の他の信号処理装置より外部出力され、さらに、基板又は信号処理装置により、第２の他の信号処理装置の特定の種類が検出されたとき、検出された第２の他の信号処理装置の特定の種類に従って、第２の信号処理部におけるクラス分類適応処理に利用する係数が、これまで利用していた第１の係数記憶部に記憶される第１の係数から、第２の係数記憶部に記憶される第２の係数に変更されると共に、第１及び第２の無線通信手段を介して、第３の信号処理部における係数の読み出しが、第３の係数記憶部から第４の係数記憶部に切り換えるように制御され、第３の信号処理部による信号処理結果が、第４のインタフェース、第２のインタフェース、第１のインタフェース、および第３のインタフェースを介して第２の信号処理部に対して送信され、第１の制御手段により、第３のインタフェース及び第１のインタフェースを介して受信された、第２の信号処理部の信号処理結果が出力されるように制御されることを特徴とする。
【００３４】
本発明の記録媒体のプログラムは、外部からの入力信号に対して、信号処理を施して、出力信号を出力する第１の信号処理部と、外部の装置と無線又は有線で通信する第１のインタフェース及び第２のインタフェースと、出力信号、第１のインタフェースからの受信信号、或いは第２のインタフェースからの受信信号のいずれかが選択的に外部出力されるように制御する第１の制御手段とを有する第１の他の信号処理装置に接続され、第１の他の信号処理装置の第１のインタフェースから外部出力された信号を入力信号として受信すると共に、出力信号を第１のインタフェースに対して送信する第３のインタフェースと、入力信号の質に相当する生徒データと係数との線形一次結合により当該生徒データよりも高質な教師データを生成するための係数を、生徒データの特徴に応じたクラス毎に学習することにより取得された第１の係数を記憶するための第１の係数記憶部と、入力信号の質に相当する生徒データと係数との線形一次結合により当該生徒データよりも高質であるが教師データとは異なる教師データを生成するための係数を、生徒データの特徴に応じたクラス毎に学習することにより取得された第２の係数を記憶するための第２の係数記憶部と、第３のインタフェースから入力された入力信号の特徴に応じてクラスを決定し、当該クラスに対応する係数を少なくとも第１の係数記憶部から選択可能であり、入力信号と選択された係数との線形一次結合により得られた出力信号を第３のインタフェースに対して出力するクラス分類適応処理を実行する第２の信号処理部と、第２の他の信号処理装置と無線通信する第１の無線通信手段とを有する基板又は信号処理装置が、第１の無線通信手段が無線通信する第２の他の信号処理装置から当該第２の他の信号処理装置の種類を識別するための識別情報を受信し、当該識別情報により特定される種類を検出し、第２の他の信号処理装置の特定の種類が検出された場合、第２の他の信号処理装置のクラス分類適応処理の機能を変更するように制御するステップを含み、第２の他の信号処理装置は、基板又は信号処理装置と同様に、外部からの入力信号に対してクラス分類適応処理を実行する第３の信号処理部と、第３の信号処理部の機能を切り換えるためそれぞれ異なる特性の係数を記憶するための第３の係数記憶部、及び、第４の係数記憶部と、第３の信号処理部による信号処理結果を第１の他の信号処理装置の第２のインタフェースに対して出力する第４のインタフェースと、基板又は信号処理装置と無線通信する第２の無線通信手段とを有し、第１の他の信号処理装置に基板又は信号処理装置が装着されていないときは、第１の信号処理部からの出力信号が外部出力され、次に、第１の他の信号処理装置に基板又は信号処理装置が装着されると、第１の他の信号処理装置に対して外部から入力された入力信号が第１のインタフェース及び第３のインタフェースを介して第２の信号処理部に送信され、当該第２の信号処理部の処理結果が第３のインタフェース及び第１のインタフェースを介して第１の他の信号処理装置より外部出力され、さらに、基板又は信号処理装置により、第２の他の信号処理装置の特定の種類が検出されたとき、検出された第２の他の信号処理装置の特定の種類に従って、第２の信号処理部におけるクラス分類適応処理に利用する係数が、これまで利用していた第１の係数記憶部に記憶される第１の係数から、第２の係数記憶部に記憶される第２の係数に変更されると共に、第１及び第２の無線通信手段を介して、第３の信号処理部における係数の読み出しが、第３の係数記憶部から第４の係数記憶部に切り換えるように制御され、第３の信号処理部による信号処理結果が、第４のインタフェース、第２のインタフェース、第１のインタフェース、および第３のインタフェースを介して第２の信号処理部に対して送信され、第１の制御手段により、第３のインタフェース及び第１のインタフェースを介して受信された、第２の信号処理部の信号処理結果が出力されるように制御されることを特徴とする。
【００３５】
本発明のプログラムは、外部からの入力信号に対して、信号処理を施して、出力信号を出力する第１の信号処理部と、外部の装置と無線又は有線で通信する第１のインタフェース及び第２のインタフェースと、出力信号、第１のインタフェースからの受信信号、或いは第２のインタフェースからの受信信号のいずれかが選択的に外部出力されるように制御する第１の制御手段とを有する第１の他の信号処理装置に接続され、第１の他の信号処理装置の第１のインタフェースから外部出力された信号を入力信号として受信すると共に、出力信号を第１のインタフェースに対して送信する第３のインタフェースと、入力信号の質に相当する生徒データと係数との線形一次結合により当該生徒データよりも高質な教師データを生成するための係数を、生徒データの特徴に応じたクラス毎に学習することにより取得された第１の係数を記憶するための第１の係数記憶部と、入力信号の質に相当する生徒データと係数との線形一次結合により当該生徒データよりも高質であるが教師データとは異なる教師データを生成するための係数を、生徒データの特徴に応じたクラス毎に学習することにより取得された第２の係数を記憶するための第２の係数記憶部と、第３のインタフェースから入力された入力信号の特徴に応じてクラスを決定し、当該クラスに対応する係数を少なくとも第１の係数記憶部から選択可能であり、入力信号と選択された係数との線形一次結合により得られた出力信号を第３のインタフェースに対して出力するクラス分類適応処理を実行する第２の信号処理部と、第２の他の信号処理装置と無線通信する第１の無線通信手段とを有する基板又は信号処理装置が、第１の無線通信手段が無線通信する第２の他の信号処理装置から当該第２の他の信号処理装置の種類を識別するための識別情報を受信し、当該識別情報により特定される種類を検出し、第２の他の信号処理装置の特定の種類が検出された場合、第２の他の信号処理装置のクラス分類適応処理の機能を変更するように制御するステップを含み、第２の他の信号処理装置は、基板又は信号処理装置と同様に、外部からの入力信号に対してクラス分類適応処理を実行する第３の信号処理部と、第３の信号処理部の機能を切り換えるためそれぞれ異なる特性の係数を記憶するための第３の係数記憶部、及び、第４の係数記憶部と、第３の信号処理部による信号処理結果を第１の他の信号処理装置の第２のインタフェースに対して出力する第４のインタフェースと、基板又は信号処理装置と無線通信する第２の無線通信手段とを有し、第１の他の信号処理装置に基板又は信号処理装置が装着されていないときは、第１の信号処理部からの出力信号が外部出力され、次に、第１の他の信号処理装置に基板又は信号処理装置が装着されると、第１の他の信号処理装置に対して外部から入力された入力信号が第１のインタフェース及び第３のインタフェースを介して第２の信号処理部に送信され、当該第２の信号処理部の処理結果が第３のインタフェース及び第１のインタフェースを介して第１の他の信号処理装置より外部出力され、さらに、基板又は信号処理装置により、第２の他の信号処理装置の特定の種類が検出されたとき、検出された第２の他の信号処理装置の特定の種類に従って、第２の信号処理部におけるクラス分類適応処理に利用する係数を、これまで利用していた第１の係数記憶部に記憶される第１の係数から、第２の係数記憶部に記憶される第２の係数に変更されると共に、第１及び第２の無線通信手段を介して、第３の信号処理部における係数の読み出しが、第３の係数記憶部から第４の係数記憶部に切り換えるように制御され、第３の信号処理部による信号処理結果が、第４のインタフェース、第２のインタフェース、第１のインタフェース、および第３のインタフェースを介して第２の信号処理部に対して送信され、第１の制御手段により、第３のインタフェース及び第１のインタフェースを介して受信された、第２の信号処理部の信号処理結果が出力されるように制御されることを特徴とする。
【００３６】
本発明の信号処理装置および方法、記録媒体、並びに、プログラムにおいては、外部からの入力信号に対して、信号処理を施して、出力信号を出力する第１の信号処理部と、外部の装置と無線又は有線で通信する第１のインタフェース及び第２のインタフェースと、出力信号、第１のインタフェースからの受信信号、或いは第２のインタフェースからの受信信号のいずれかが選択的に外部出力されるように制御する第１の制御手段とを有する第１の他の信号処理装置に接続され、第１の他の信号処理装置の第１のインタフェースから外部出力された信号を入力信号として受信すると共に、出力信号を第１のインタフェースに対して送信する第３のインタフェースと、入力信号の質に相当する生徒データと係数との線形一次結合により当該生徒データよりも高質な教師データを生成するための係数を、生徒データの特徴に応じたクラス毎に学習することにより取得された第１の係数を記憶するための第１の係数記憶部と、入力信号の質に相当する生徒データと係数との線形一次結合により当該生徒データよりも高質であるが教師データとは異なる教師データを生成するための係数を、生徒データの特徴に応じたクラス毎に学習することにより取得された第２の係数を記憶するための第２の係数記憶部と、第３のインタフェースから入力された入力信号の特徴に応じてクラスを決定し、当該クラスに対応する係数を少なくとも第１の係数記憶部から選択可能であり、入力信号と選択された係数との線形一次結合により得られた出力信号を第３のインタフェースに対して出力するクラス分類適応処理を実行する第２の信号処理部と、第２の他の信号処理装置と無線通信する第１の無線通信手段とを有する信号処理装置で、第１の無線通信手段が無線通信する第２の他の信号処理装置から当該第２の他の信号処理装置の種類を識別するための識別情報が受信され、当該識別情報により特定される種類が検出され、第２の他の信号処理装置の特定の種類が検出された場合、第２の他の信号処理装置のクラス分類適応処理の機能が変更されるように制御され、第２の他の信号処理装置には、信号処理装置と同様に、外部からの入力信号に対してクラス分類適応処理を実行する第３の信号処理部と、第３の信号処理部の機能を切り換えるためそれぞれ異なる特性の係数を記憶するための第３の係数記憶部、及び、第４の係数記憶部と、第３の信号処理部による信号処理結果を第１の他の信号処理装置の第２のインタフェースに対して出力する第４のインタフェースと、信号処理装置と無線通信する第２の無線通信手段とが設けられ、第１の他の信号処理装置に信号処理装置が装着されていないときは、第１の信号処理部からの出力信号が外部出力され、次に、第１の他の信号処理装置に信号処理装置が装着されると、第１の他の信号処理装置に対して外部から入力された入力信号が第１のインタフェース及び第３のインタフェースを介して第２の信号処理部に送信され、当該第２の信号処理部の処理結果が第３のインタフェース及び第１のインタフェースを介して第１の他の信号処理装置より外部出力され、さらに、信号処理装置で、第２の他の信号処理装置の特定の種類が検出されたとき、検出された第２の他の信号処理装置の特定の種類に従って、第２の信号処理部におけるクラス分類適応処理に利用する係数が、これまで利用していた第１の係数記憶部に記憶される第１の係数から、第２の係数記憶部に記憶される第２の係数に変更すると共に、第１及び第２の無線通信手段を介して、第３の信号処理部における係数の読み出しが、第３の係数記憶部から第４の係数記憶部に切り換わるように制御され、第３の信号処理部による信号処理結果が、第４のインタフェース、第２のインタフェース、第１のインタフェース、および第３のインタフェースを介して第２の信号処理部に対して送信され、第１の制御手段により、第３のインタフェース及び第１のインタフェースを介して受信された、第２の信号処理部の信号処理結果が出力されるように制御される。
本発明の基板は、外部からの入力信号に対して、信号処理を施して、出力信号を出力する第１の信号処理部と、外部の装置と無線又は有線で通信する第１のインタフェース及び第２のインタフェースと、前記出力信号、前記第１のインタフェースからの受信信号、或いは前記第２のインタフェースからの受信信号のいずれかが選択的に外部出力されるように制御する第１の制御手段とを有する第１の他の信号処理装置に接続され、前記第１の他の信号処理装置の第１のインタフェースから外部出力された信号を入力信号として受信すると共に、出力信号を前記第１のインタフェースに対して送信する第３のインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と、第２の他の信号処理装置と無線通信する第１の無線通信手段と、前記第１の無線通信手段が無線通信する前記第２の他の信号処理装置から当該第２の他の信号処理装置の種類を識別するための識別情報を受信し、当該識別情報により特定される種類を検出する検出手段と、前記検出手段により前記第２の他の信号処理装置の特定の種類が検出された場合、前記第２の他の信号処理装置の前記クラス分類適応処理の機能を変更するように制御する第２の制御手段とを備える基板であり、前記第２の他の信号処理装置は、前記基板と同様に、外部からの入力信号に対して前記クラス分類適応処理を実行する第３の信号処理部と、前記第３の信号処理部の機能を切り換えるためそれぞれ異なる特性の係数を記憶するための第３の係数記憶部、及び、第４の係数記憶部と、前記第３の信号処理部による信号処理結果を前記第１の他の信号処理装置の前記第２のインタフェースに対して出力する第４のインタフェースと、前記基板と無線通信する第２の無線通信手段とを有し、前記第１の他の信号処理装置に前記基板が装着されていないときは、前記第１の信号処理部からの出力信号が外部出力され、次に、前記第１の他の信号処理装置に前記基板が装着されると、前記第１の他の信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記第１の他の信号処理装置より外部出力され、さらに、前記検出手段により前記第２の他の信号処理装置の特定の種類が検出されたとき、前記第２の制御手段は、前記検出手段により検出された前記第２の他の信号処理装置の種類に従って、前記第２の信号処理部における前記クラス分類適応処理に利用する係数を、これまで利用していた前記第１の係数記憶部に記憶される前記第１の係数から、前記第２の係数記憶部に記憶される前記第２の係数に変更すると共に、前記第１及び第２の無線通信手段を介して、前記第３の信号処理部における係数の読み出しを、前記第３の係数記憶部から前記第４の係数記憶部に切り換えるように制御し、前記第３の信号処理部による信号処理結果が、前記第４のインタフェース、前記第２のインタフェース、第１のインタフェース、および第３のインタフェースを介して前記第２の信号処理部に対して送信され、前記第１の制御手段は、前記第３のインタフェース及び前記第１のインタフェースを介して受信された、前記第２の信号処理部の信号処理結果が出力されるように制御することを特徴とする。
前記第１の係数記憶部と前記第３の係数記憶部には、予め学習された第１の係数、第３の係数がそれぞれ記憶されているが、前記第２の係数記憶部と前記第４の係数記憶部には、未だ第２の係数、第４の係数は記憶されておらず、それらの係数を生成するための係数種を前記第２の係数記憶部が記憶しており、前記第２の制御手段は、前記検出手段により検出された前記第２の他の信号処理装置の種類に従って、前記第３の信号処理部における係数の読み出しを、第３の係数記憶部から第４の係数記憶部に切り換え、前記第２の制御手段の制御のもと、前記係数種に応じて前記第３の信号処理部がクラス分類適応処理を行うための係数が生成され、前記第２の係数記憶部に一部の係数が、前記第４の係数記憶部に他部の係数が記憶され、前記第１の他の信号処理装置の前記第１の制御手段は、前記第４のインタフェース及び第２のインタフェースを介して受信された、前記第３の信号処理部における、前記第２の係数記憶部及び前記第４の係数記憶部に記憶される係数に応じたクラス分類適応処理の処理結果が出力されるように制御することを特徴とする。
前記第１の無線通信手段により、前記第２の他の信号処理装置からの識別情報に加え、更なる他の信号処理装置からの識別情報が受信されたとき、前記更なる他の信号処理装置を第３の他の信号処理装置とし、前記第３の他の信号処理装置は、前記基板と同様に、外部からの入力信号に対して前記クラス分類適応処理を実行する第４の信号処理部と、前記第４の信号処理部の機能を切り換えるためそれぞれ異なる特性の係数を記憶するための第５の係数記憶部、及び、第６の係数記憶部と、前記第４の信号処理部による信号処理結果を前記第１の他の信号処理装置の前記第２のインタフェースに対して出力する第５のインタフェースと、前記基板と無線通信する第３の無線通信手段とを有し、前記第１の係数記憶部、前記第３の係数記憶部、及び第５の係数記憶部には、予め学習された第１の係数、第３の係数、及び第５の係数がそれぞれ記憶されているが、前記第２の係数記憶部、前記第４の係数記憶部、及び第６の係数記憶部には、未だ第２の係数、第４の係数、第６の係数は記憶されておらず、それらの係数を生成するための係数種を前記第２の係数記憶部が記憶しており、前記第１の制御手段により前記第２の他の信号処理装置が選択されると、前記第２の制御手段は、前記第３の信号処理部における係数の読み出しを、第３の係数記憶部から第４の係数記憶部に切り換え、前記第２の制御手段の制御のもと、前記係数種に応じて前記第３の信号処理部がクラス分類適応処理を行うための係数が生成され、前記第２の係数記憶部、前記第４の係数記憶部、及び前記第６の係数記憶部に亘って係数が記憶され、前記第１の他の信号処理装置の前記第１の制御手段は、前記第４のインタフェース及び前記第２のインタフェースを介して受信された、前記第３の信号処理部における、前記第２の係数記憶部、前記第４の係数記憶部、及び前記第６の係数記憶部に記憶される係数に応じたクラス分類適応処理の処理結果が出力されるように制御することを特徴とする。
本発明の基板は、外部からの入力信号に対して、信号処理を施して、出力信号を出力する第１の信号処理部と、外部の装置と無線又は有線で通信する第１のインタフェース及び第２のインタフェースと、前記出力信号、前記第１のインタフェースからの受信信号、或いは前記第２のインタフェースからの受信信号のいずれかが選択的に外部出力されるように制御する第１の制御手段とを有する第１の他の信号処理装置に接続され、前記第１の他の信号処理装置の第１のインタフェースから外部出力された信号を入力信号として受信すると共に、出力信号を前記第１のインタフェースに対して送信する第３のインタフェースと、入力信号の質に相当する生徒データと係数との線形一次結合により当該生徒データよりも高質な教師データを生成するための前記係数を、前記生徒データの特徴に応じたクラス毎に学習することにより取得された第１の係数を記憶するための第１の係数記憶部と、入力信号の質に相当する生徒データと係数との線形一次結合により当該生徒データよりも高質であるが前記教師データとは異なる教師データを生成するための前記係数を、前記生徒データの特徴に応じたクラス毎に学習することにより取得された第２の係数を記憶するための第２の係数記憶部と、前記第３のインタフェースから入力された入力信号の特徴に応じてクラスを決定し、当該クラスに対応する係数を少なくとも前記第１の係数記憶部から選択可能であり、前記入力信号と選択された前記係数との線形一次結合により得られた出力信号を前記第３のインタフェースに対して出力するクラス分類適応処理を実行する第２の信号処理部と、第２の他の信号処理装置と無線通信する第１の無線通信手段と、前記第１の無線通信手段が無線通信する前記第２の他の信号処理装置から当該第２の他の信号処理装置の種類を識別するための識別情報を受信し、当該識別情報により特定される種類を検出する検出手段と、前記検出手段により前記第２の他の信号処理装置の特定の種類が検出された場合、前記第２の他の信号処理装置の前記クラス分類適応処理の機能を変更するように制御する第２の制御手段とを備える基板であり、前記第２の他の信号処理装置は、前記基板と同様に、外部からの入力信号に対して前記クラス分類適応処理を実行する第３の信号処理部と、前記第３の信号処理部の機能を切り換えるためそれぞれ異なる特性の係数を記憶するための第３の係数記憶部、及び、第４の係数記憶部と、前記第３の信号処理部による信号処理結果を前記第１の他の信号処理装置の前記第２のインタフェースに対して出力する第４のインタフェースと、前記基板と無線通信する第２の無線通信手段とを有し、前記第１の他の信号処理装置に前記基板が装着されていないときは、前記第１の信号処理部からの出力信号が外部出力され、次に、前記第１の他の信号処理装置に前記基板が装着されると、前記第１の他の信号処理装置に対して外部から入力された入力信号が前記第１のインタフェース及び前記第３のインタフェースを介して前記第２の信号処理部に送信され、当該第２の信号処理部の処理結果が前記第３のインタフェース及び前記第１のインタフェースを介して前記第１の他の信号処理装置より外部出力され、さらに、前記検出手段により前記第２の他の信号処理装置の特定の種類が検出されたとき、前記第２の制御手段は、前記検出手段により検出された前記第２の他の信号処理装置の種類に従って、前記第２の信号処理部における前記クラス分類適応処理に利用する係数を、これまで利用していた前記第１の係数記憶部に記憶される前記第１の係数から、前記第２の係数記憶部に記憶される前記第２の係数に変更すると共に、前記第１及び第２の無線通信手段を介して、前記第３の信号処理部における係数の読み出しを、前記第３の係数記憶部から前記第４の係数記憶部に切り換えるように制御し、前記第３の信号処理部による信号処理結果が、前記第４のインタフェース、前記第２のインタフェース、第１のインタフェース、および第３のインタフェースを介して前記第２の信号処理部に対して送信され、前記第１の制御手段は、前記第３のインタフェース及び前記第１のインタフェースを介して受信された、前記第２の信号処理部の信号処理結果が出力されるように制御することを特徴とする。
前記第１の係数記憶部と前記第３の係数記憶部には、予め学習された第１の係数、第３の係数がそれぞれ記憶されているが、前記第２の係数記憶部と前記第４の係数記憶部には、未だ第２の係数、第４の係数は記憶されておらず、それらの係数を生成するための係数種を前記第２の係数記憶部が記憶しており、前記第２の制御手段は、前記検出手段により検出された前記第２の他の信号処理装置の種類に従って、前記第３の信号処理部における係数の読み出しを、第３の係数記憶部から第４の係数記憶部に切り換え、前記第２の制御手段の制御のもと、前記係数種に応じて前記第３の信号処理部がクラス分類適応処理を行うための係数が生成され、前記第２の係数記憶部に一部の係数が、前記第４の係数記憶部に他部の係数が記憶され、前記第１の他の信号処理装置の前記第１の制御手段は、前記第４のインタフェース及び第２のインタフェースを介して受信された、前記第３の信号処理部における、前記第２の係数記憶部及び前記第４の係数記憶部に記憶される係数に応じたクラス分類適応処理の処理結果が出力されるように制御することを特徴とする。
前記第１の無線通信手段により、前記第２の他の信号処理装置からの識別情報に加え、更なる他の信号処理装置からの識別情報が受信されたとき、前記更なる他の信号処理装置を第３の他の信号処理装置とし、前記第３の他の信号処理装置は、前記基板と同様に、外部からの入力信号に対して前記クラス分類適応処理を実行する第４の信号処理部と、前記第４の信号処理部の機能を切り換えるためそれぞれ異なる特性の係数を記憶するための第５の係数記憶部、及び、第６の係数記憶部と、前記第４の信号処理部による信号処理結果を前記第１の他の信号処理装置の前記第２のインタフェースに対して出力する第５のインタフェースと、前記基板と無線通信する第３の無線通信手段とを有し、前記第１の係数記憶部、前記第３の係数記憶部、及び第５の係数記憶部には、予め学習された第１の係数、第３の係数、及び第５の係数がそれぞれ記憶されているが、前記第２の係数記憶部、前記第４の係数記憶部、及び第６の係数記憶部には、未だ第２の係数、第４の係数、第６の係数は記憶されておらず、それらの係数を生成するための係数種を前記第２の係数記憶部が記憶しており、前記第１の制御手段により前記第２の他の信号処理装置が選択されると、前記第２の制御手段は、前記第３の信号処理部における係数の読み出しを、第３の係数記憶部から第４の係数記憶部に切り換え、前記第２の制御手段の制御のもと、前記係数種に応じて前記第３の信号処理部がクラス分類適応処理を行うための係数が生成され、前記第２の係数記憶部、前記第４の係数記憶部、及び前記第６の係数記憶部に亘って係数が記憶され、前記第１の他の信号処理装置の前記第１の制御手段は、前記第４のインタフェース及び前記第２のインタフェースを介して受信された、前記第３の信号処理部における、前記第２の係数記憶部、前記第４の係数記憶部、及び前記第６の係数記憶部に記憶される係数に応じたクラス分類適応処理の処理結果が出力されるように制御することを特徴とする
本発明の基板においては、外部からの入力信号に対して、信号処理を施して、出力信号を出力する第１の信号処理部と、外部の装置と無線又は有線で通信する第１のインタフェース及び第２のインタフェースと、出力信号、第１のインタフェースからの受信信号、或いは第２のインタフェースからの受信信号のいずれかが選択的に外部出力されるように制御する第１の制御手段とを有する第１の他の信号処理装置に接続され、第１の他の信号処理装置の第１のインタフェースから外部出力された信号を入力信号として受信すると共に、出力信号を第１のインタフェースに対して送信する第３のインタフェースと、入力信号の質に相当する生徒データと係数との線形一次結合により当該生徒データよりも高質な教師データを生成するための係数を、生徒データの特徴に応じたクラス毎に学習することにより取得された第１の係数を記憶するための第１の係数記憶部と、入力信号の質に相当する生徒データと係数との線形一次結合により当該生徒データよりも高質であるが教師データとは異なる教師データを生成するための係数を、生徒データの特徴に応じたクラス毎に学習することにより取得された第２の係数を記憶するための第２の係数記憶部と、第３のインタフェースから入力された入力信号の特徴に応じてクラスを決定し、当該クラスに対応する係数を少なくとも第１の係数記憶部から選択可能であり、入力信号と選択された係数との線形一次結合により得られた出力信号を第３のインタフェースに対して出力するクラス分類適応処理を実行する第２の信号処理部と、第２の他の信号処理装置と無線通信する第１の無線通信手段とを有する基板で、第１の無線通信手段が無線通信する第２の他の信号処理装置から当該第２の他の信号処理装置の種類を識別するための識別情報が受信され、当該識別情報により特定される種類が検出され、第２の他の信号処理装置の特定の種類が検出された場合、第２の他の信号処理装置のクラス分類適応処理の機能が変更されるように制御され、第２の他の信号処理装置には、基板と同様に、外部からの入力信号に対してクラス分類適応処理を実行する第３の信号処理部と、第３の信号処理部の機能を切り換えるためそれぞれ異なる特性の係数を記憶するための第３の係数記憶部、及び、第４の係数記憶部と、第３の信号処理部による信号処理結果を第１の他の信号処理装置の第２のインタフェースに対して出力する第４のインタフェースと、基板と無線通信する第２の無線通信手段とが設けられ、第１の他の信号処理装置に基板が装着されていないときは、第１の信号処理部からの出力信号が外部出力され、次に、第１の他の信号処理装置に基板が装着されると、第１の他の信号処理装置に対して外部から入力された入力信号が第１のインタフェース及び第３のインタフェースを介して第２の信号処理部に送信され、当該第２の信号処理部の処理結果が第３のインタフェース及び第１のインタフェースを介して第１の他の信号処理装置より外部出力され、さらに、基板で、第２の他の信号処理装置の特定の種類が検出されたとき、検出された第２の他の信号処理装置の特定の種類に従って、第２の信号処理部におけるクラス分類適応処理に利用する係数が、これまで利用していた第１の係数記憶部に記憶される第１の係数から、第２の係数記憶部に記憶される第２の係数に変更すると共に、第１及び第２の無線通信手段を介して、第３の信号処理部における係数の読み出しが、第３の係数記憶部から第４の係数記憶部に切り換わるように制御され、第３の信号処理部による信号処理結果が、第４のインタフェース、第２のインタフェース、第１のインタフェース、および第３のインタフェースを介して第２の信号処理部に対して送信され、第１の制御手段により、第３のインタフェース及び第１のインタフェースを介して受信された、第２の信号処理部の信号処理結果が出力されるように制御される。
【００３７】
基板又は信号処理装置は、信号を少なくとも無線にて送信する機能を有する装置であれば、さらに有線で信号を送信可能な送信専用装置であっても構わないし、信号を有線または無線にて受信することも可能な送受信装置であってもよい。
【００３８】
【発明の実施の形態】
図１は、本発明が適用される信号処理システムの構成例を表している。
【００３９】
図１に示されるように、信号処理システム１は、第１の信号処理装置１１と、それに装着される基板として構成されるアルゴリズムベイ（商標）１２から構成される。
【００４０】
第１の信号処理装置１１には、入力信号６１に、所定の信号処理を施して、出力信号６２として出力する信号処理部２１、および、アルゴリズムベイ１２と無線または有線で通信するインタフェース２２が設けられている。
【００４１】
アルゴリズムベイ１２には、上述した第１の情報処理装置１１のインタフェース２２と無線または有線で通信するインタフェース３１、第１の信号処理装置１１の信号処理部２１の信号処理の第１の機能を提供するための第１の機能提供部３２、および、第１の信号処理装置１１の信号処理部２１の信号処理の第２の機能を提供するための第２の機能提供部３３が設けられている。
【００４２】
アルゴリズムベイ１２にはまた、後述する信号処理装置検出部３６の検出結果に基づいて、第１の機能提供部３２より提供される第１の機能と、第２の機能提供部３３より提供される第２の機能のうちのいずれか一方を選択し、インタフェース３１を介して第１の信号処理装置１１に提供するセレクタ部３４が設けられている。
【００４３】
アルゴリズムベイ１２にはさらにまた、信号処理部４２を有する第２の信号処理装置１３の無線インタフェース４１や、信号処理部５２を有する第３の信号処理装置１４の無線インタフェース５１と、無線通信を行うための無線インタフェース３５、および、無線インタフェース３５により無線接続される他の信号処理装置（図１の例では、第２の信号処理装置１３、または、第３の信号処理装置１４）の種類を検出する信号処理装置検出部３６が設けられている。
【００４４】
なお、図１の例では、アルゴリズムベイ１２が、信号処理装置１１に対して装着される基板として形成されているが、このアルゴリズムベイ１２を、基板の代わりに、インタフェース３１、第１の機能提供部３２、第２の機能提供部３３、セレクタ部３４、無線インタフェース３５、および、信号処理装置検出部３６を有する任意の装置として形成してもよい。
【００４５】
また、第１および第２の機能の具体例については、後述する。
【００４６】
次に、信号処理システム１の動作の概略を説明する。
【００４７】
例えば、アルゴリズムベイ１２の信号処理装置検出部３６により第２の信号処理装置１３の種類が検出された場合、セレクタ部３４は、第１の信号処理装置１１の信号処理部２１の機能を、第１の機能提供部３２により提供される第１の機能に変更するように、インタフェース３１およびインタフェース２２を介して制御する。これに対して、信号処理装置検出部３６により第３の信号処理装置１４の種類が検出された場合、セレクタ部３４は、第１の信号処理装置１１の信号処理部２１の機能を、第２の機能提供部３３により提供される第２の機能に変更するように、インタフェース３１およびインタフェース２２を介して制御する。
【００４８】
または、例えば、信号処理装置検出部３６により何も検出されない場合（通常の場合）、セレクタ部３４は、第１の信号処理装置１１の信号処理部２１の機能を、第１の機能提供部３２により提供される第１の機能とするように、インタフェース３１およびインタフェース２２を介して制御する。これに対して、信号処理装置検出部３６により他の信号処理装置（図１の例では、第２の信号処理装置１３、または、第３の信号処理装置１４）の種類が検出された場合、セレクタ部３４は、第１の信号処理装置１１の信号処理部２１の機能を、第１の機能から、第２の機能提供部３３により提供される第２の機能に変更するように、インタフェース３１およびインタフェース２２を介して制御する。
【００４９】
なお、図１の例では、アルゴリズムベイ１２により変更される、第１の信号処理装置１１の信号処理部２１の信号処理の機能は、第１および第２の機能の２つの機能とされているが、アルゴリズムベイ１２により変更される機能の数は、特に限定されるものではない。
【００５０】
以上、本発明が適用される信号処理システム１の概略について説明したが、信号処理システム１は、様々な実施形態が実現可能である。
【００５１】
そのような様々な実施形態の構成例が、図２、図５、および、図８にそれぞれ示されている。
【００５２】
そこで、以下、図２に示される信号処理システム１を、第１実施形態として、図５に示される信号処理システム１を、第２実施形態として、図８に示される信号処理システム１を、第３実施形態として、それぞれ個別に説明する。
【００５３】
（第１実施形態）
図２は、本発明の第１実施形態が適用される信号処理システム１の構成例を表しており、図１のそれに対応する部分には、対応する符号が付してある。
【００５４】
第１実施形態においては、図２に示されるように、信号処理部２１には、信号処理部２１の全体の処理を制御する制御部８２、コンポジット信号である入力信号６１をコンポーネント信号に変換する１/３変換部８１、および、スイッチ８３が設けられている。
【００５５】
スイッチ８３は、制御部８２の制御に基づいて切り換えられ、スイッチ８３が１/３変換部８１側に切り換えられている場合、１/３変換部８１より出力されるコンポーネント信号（コンポジット信号である入力信号６１が、１/３変換部８１により変換されたコンポーネント信号）が、出力信号６２として出力される。これに対して、スイッチ８３が制御部８２側に切り換えられている場合、制御部８２より出力されるコンポーネント信号（後述するアルゴリズムベイ１２より供給されるコンポーネント信号）が、出力信号６２として出力される。
【００５６】
また、図２の信号処理装置１１にはさらに、後述するDVD（Digital Versatile Disk）プレーヤ７１と有線または無線による通信を行うためのインタフェース８４が設けられている。
【００５７】
なお、コンポーネント信号は、例えば、輝度成分(Y)と２つの色差成分（青−輝度(B-Y)と赤−輝度(R-Y)）の３要素、あるいは、赤信号（R）、緑信号(G)、および、青信号(B)の３要素で構成される。コンポジット信号は、これらの３要素に対応する信号、同期信号、および、カラーバースト信号などを全てひとつに合成した信号であり、例えば、テレビジョン放送のNTSC（National Television System Committee）規格の信号などがコンポジット信号である。
【００５８】
従って、この例においては、１/３変換部８１は、１つのコンポジット信号を、３つの独立した信号（この例では、輝度成分の信号（Y信号）、青−輝度信号（B-Y信号）、および、赤−輝度信号（R-Y信号））から構成されるコンポーネント信号に変換することになるので、以下、そのような１/３変換部８１による処理を、１/３変換処理と称する。
【００５９】
図２のアルゴリズムベイ１２は、信号処理装置１１の制御部８２よりインタフェース２２を介して供給される信号に対して、クラス分類適応処理を施し、その処理の結果（クラス分類適応処理が施された信号）を、信号処理装置１１の制御部８２にインタフェース２２を介して提供する。
【００６０】
なお、クラス分類適応処理は、本出願人により先に提案された以下のような処理である。
【００６１】
即ち、クラス分類適応処理は、クラス分類処理と適応処理とからなり、クラス分類処理によって、信号（データ）が、その性質に基づいてクラス分けされ、各クラスごとに適応処理が施される。
【００６２】
なお、ここでは、クラス分類適応処理の一例として、例えば、画像信号に対する空間解像度を向上するための処理を説明する。具体的には、標準解像度の画像信号（以下、適宜、ＳＤ(Standard Definition)画像信号と称する）を、高解像度の画像信号（以下、適宜、ＨＤ(High Definition)画像信号と称する）に変換する空間解像度を向上するための適応処理について説明する。
【００６３】
この場合、適応処理では、ＳＤ画像を構成する画素（以下、適宜、ＳＤ画素という）と、所定のタップ係数との線形結合により、そのＳＤ画像の空間解像度を向上させたＨＤ画像の画素の予測値を求めることで、そのＳＤ画像の解像度を向上させた画像が得られる。
【００６４】
具体的には、例えば、いま、あるＨＤ画像を教師データとするとともに、そのＨＤ画像の解像度を劣化させたＳＤ画像を生徒データとして、ＨＤ画像を構成する画素（以下、適宜、ＨＤ画素という）の画素値ｙの予測値Ｅ［ｙ］を、幾つかのＳＤ画素（ＳＤ画像を構成する画素）の画素値ｘ1 ，ｘ2 ，・・の集合と、所定のタップ係数ｗ1 ，ｗ2 ，・・の線形結合により規定される線形１次結合モデルにより求めることを考える。この場合、予測値Ｅ［ｙ］は、式（１）で表される。
Ｅ［ｙ］＝ｗ1 ｘ1 ＋ｗ2 ｘ2 ＋・・・      （１）
【００６５】
式（１）を一般化するために、タップ係数ｗj の集合でなる行列Ｗ、生徒データｘijの集合でなる行列Ｘ、および予測値E［yi]の集合でなる行列Ｙ’を、式（２）で示されるように定義する。
【００６６】
【数１】
0004238522.tif 000002
【００６７】
式（２）に示されるように定義すると、式（３）に示されるような観測方程式が成立する。
ＸＷ＝Ｙ’    ・・・（３）
【００６８】
式（３）において、行列Ｘの成分ｘijは、ｉ件目の生徒データの集合（ｉ件目の教師データｙi の予測に用いる生徒データの集合）の中のｊ番目の生徒データを意味し、行列Ｗの成分ｗj は、生徒データの集合の中のｊ番目の生徒データとの積が演算されるタップ係数を表す。また、ｙi は、ｉ件目の教師データを表し、従って、Ｅ［ｙi ］は、ｉ件目の教師データの予測値を表す。なお、式（１）の左辺におけるｙは、行列Ｙの成分ｙi のサフィックスｉを省略したものであり、また、式（１）の右辺におけるｘ1 ，ｘ2 ，・・も、行列Ｘの成分ｘijのサフィックスｉを省略したものである。
【００６９】
そして、この観測方程式に最小自乗法を適用して、ＨＤ画素の画素値ｙに近い予測値Ｅ［ｙ］を求めることを考える。この場合、教師データとなるＨＤ画素の真の画素値ｙの集合でなる行列Ｙ、およびＨＤ画素の画素値ｙに対する予測値Ｅ［ｙ］の残差ｅの集合でなる行列Ｅを、定義すると、式（４）に示されるようになる。
【００７０】
【数２】
0004238522.tif 000003
【００７１】
この式（４）から、式（５）に示されるような残差方程式が成立する。
ＸＷ＝Ｙ＋Ｅ    ・・・（５）
【００７２】
この場合、ＨＤ画素の画素値ｙに近い予測値Ｅ［ｙ］を求めるためのタップ係数ｗj は、式（６）で示される自乗誤差を最小にすることで求めることができる。
【００７３】
【数３】
0004238522.tif 000004
【００７４】
従って、上述した自乗誤差をタップ係数ｗj で微分したものが０になる場合、即ち、式（７）を満たすタップ係数ｗj が、ＨＤ画素の画素値ｙに近い予測値Ｅ［ｙ］を求めるため最適値ということになる。
【００７５】
【数４】
0004238522.tif 000005
【００７６】
そこで、まず、上述した式（５）を、タップ係数ｗj で微分することにより、式（８）が成立する。
【００７７】
【数５】
0004238522.tif 000006
【００７８】
上述した式（７）と式（８）より、式（９）が得られる。
【００７９】
【数６】
0004238522.tif 000007
【００８０】
さらに、上述した式（５）の残差方程式における生徒データｘij、タップ係数ｗj 、教師データｙi 、および残差ｅi の関係を考慮すると、式（９）から、式（１０）に示されるような正規方程式を得ることができる。
【００８１】
【数７】
0004238522.tif 000008
【００８２】
式（１０）に示される正規方程式においては、行列（共分散行列）Ａおよびベクトルｖを、式（１１）に示されるように定義する。
【００８３】
【数８】
0004238522.tif 000009
【００８４】
さらに、ベクトルＷを、上述した式（２）で示されるように定義すると、式（１０）は、式（１２）で示されるように表すことができる。
ＡＷ＝ｖ      ・・・（１２）
【００８５】
上述した式（１０）における各正規方程式は、生徒データｘijおよび教師データｙi のセットを、ある程度の数だけ用意することで、求めるべきタップ係数ｗj の数Ｊと同じ数だけたてることができ、従って、上述した式（１２）を、ベクトルＷについて解くことで（ただし、式（１２）を解くには、式（１２）における行列Ａが正則である必要がある）、最適なタップ係数ｗj を求めることができる。なお、式（１２）を解くにあたっては、例えば、掃き出し法（Gauss-Jordanの消去法）などを用いることが可能である。
【００８６】
以上のように、生徒データと教師データを用いて、生徒データとタップ係数から、教師データを予測するのに最適なタップ係数ｗj を求める学習をしておき、さらに、そのタップ係数ｗj を用い、上述した式（１）により、教師データｙに近い予測値Ｅ［ｙ］を求めるのが適応処理である。
【００８７】
なお、適応処理は、ＳＤ画像には含まれていないが、ＨＤ画像に含まれる成分が再現される点で、例えば、単なる補間処理とは異なる。即ち、適応処理では、上述した式（１）だけを見る限りは、いわゆる補間フィルタを用いての補間処理と同一に見えるが、その補間フィルタのタップ係数に相当するタップ係数ｗが、教師データと生徒データを用いての学習により求められるため、ＨＤ画像に含まれる成分を再現することができる。このことから、上述したような適応処理は、いわば画像の創造（解像度創造）作用がある処理と称することができる。
【００８８】
従って、以下、上述したような適応処理を、他の適応処理と区別するために、解像度創造適応処理と称する。また、解像度創造適応処理を行う場合に利用するタップ係数（上述したようなタップ係数）を、解像度創造用係数と称する。
【００８９】
さらに、上述した例では、適応処理について、空間解像度を向上させる場合を例にして説明したが、適応処理によれば、教師データおよび生徒データを変えて学習を行うことにより得られる種々のタップ係数を用いることで、例えば、Ｓ／Ｎ(Signal to Noise Ratio) の向上や、ぼけの改善、その他の各種の処理を行うことが可能である。
【００９０】
即ち、例えば、Ｓ／Ｎの向上やぼけの改善を、適応処理によって行うには、Ｓ／Ｎの高い画像データを教師データとするとともに、その教師データのＳ／Ｎを低下させた画像（あるいは、ぼかした画像）を生徒データとして、タップ係数を求めればよい。
【００９１】
このような適応処理を、以下、他の適応処理と区別するために、ノイズ除去適応処理と称する。また、ノイズ除去適応処理で利用するタップ係数を、以下、ノイズ除去用係数と称する。
【００９２】
なお、解像度創造適応処理および解像度創造用係数、並びに、ノイズ除去適応処理およびノイズ除去用係数の詳細については、本出願人により先に出願された特願２００１−１１０６９５号に開示されている。
【００９３】
さらにまた、コンポジット信号をコンポーネント信号に変換する処理（１/３変換）と、空間解像度を向上する処理を、適応処理によって一括して施すことができる。この場合、タップ係数は、コンポーネント信号のＨＤ信号を教師データとするとともに、その教師データの空間解像度を低下させ、さらにコンポジット信号に変換したＳＤ信号を生徒データとして、上述した方式に従って、求めればよい。
【００９４】
なお、以下、そのような適応処理を、他の適応処理と区別するために、１/３変換および解像度創造適応処理と称する。また、１/３変換および解像度創造適応処理で利用するタップ係数（上述したようにして求められたタップ係数）を、１/３変換および解像度創造用係数と称する。
【００９５】
以上、クラス分類適応処理の概略について説明したが、そのようなクラス分類適応処理を行うのが、図２のアルゴリズムベイ１２である。
【００９６】
即ち、アルゴリズムベイ１２には、インタフェース３１、アルゴリズムベイ１２の全体の動作を制御する制御部９１、信号処理装置１１より供給される信号（制御部８２より、インタフェース２２、インタフェース３１、および、制御部９１を介して供給される信号）の特徴を検出し、その特徴に対応するクラスを決定する（上述したクラス分類処理を行う）特徴検出部９２、および、特徴検出部９２により決定されたクラスに対応する所定のタップ係数を用いて、信号処理装置１１より供給される信号（制御部８２より、インタフェース２２、インタフェース３１、および、制御部９１を介して供給される信号）に対して、上述した適応処理を施し、インタフェース３１を介して信号処理装置１１に供給する適応処理部９３が設けられている。
【００９７】
アルゴリズムベイ１２にはまた、適応処理部９３による適応処理で利用するタップ係数を選択するためのスイッチ９４、１/３変換および解像度創造適応用係数を記憶する１/３変換および解像度創造用係数記憶部９５、解像度創造用係数を記憶する解像度創造用係数記憶部９６、協調分担先であるDVDプレーヤ７１と無線通信するための無線インタフェース３５、および、無線インタフェース３５における電波（電界）強度を検出する電波検出部９７が設けられている。
【００９８】
スイッチ９４は、制御部９１の制御に基づいて切り換えられ、スイッチ９４が、１/３変換および解像度創造用係数記憶部９５側に切り換えられている場合、適応処理部９３は、１/３変換および解像度創造用係数記憶部９５に記憶されている１/３変換および解像度創造用係数を利用して、１/３変換および解像度創造適応処理を行う。これに対して、スイッチ９４が、解像度創造用係数記憶部９６側に切り換えられている場合、適応処理部９３は、解像度創造用係数記憶部９６に記憶されている解像度創造用係数を利用して、解像度創造適応処理を行う。
【００９９】
協調分担先であるDVDプレーヤ７１には、MPEG(Moving Picture Experts Group)方式により符号化された画像データ（DVDに記録されている画像データ）を読出し、それをデコードして、コンポーネント信号として出力するMPEGデコード部１０１、MPEGデコード部１０１より供給されたコンポーネント信号に対して、上述したクラス分類適応処理を施す特徴検出部１０２、および、適応処理部１０３、並びに、信号処理装置１１のインタフェース８４と相互に通信するインタフェース１０４が設けられている。
【０１００】
DVDプレーヤ７１にはまた、アルゴリズムベイ１２の無線インタフェース３５と相互に無線通信する無線インタフェース１０５、適応処理部１０３による適応処理で利用するタップ係数を選択するためのスイッチ１０６、解像度創造用係数を記憶する解像度創造用係数記憶部１０７、および、ノイズ除去用係数を記憶するノイズ除去用係数記憶部１０８が設けられている。
【０１０１】
スイッチ１０６は、通常、解像度創造用係数記憶部１０７側に切り換えられている。この場合、適応処理部１０３は、解像度創造用係数記憶部１０７に記憶されている解像度創造用係数を利用して、MPEGデコード部１０１により出力されたコンポーネント信号に対して、解像度創造適応処理を施す。
【０１０２】
これに対して、DVDプレーヤ７１がアルゴリズムベイ１２と協調分担してクラス分類適応処理を施す場合、アルゴリズムベイ１２の制御部９１の無線インタフェース３５および無線インタフェース１０５を介する制御により、スイッチ１０６は、ノイズ除去用係数記憶部１０８側に切り換えられる。そして、適応処理部１０３は、ノイズ除去用係数記憶部１０８に記憶されているノイズ除去用係数を利用して、MPEGデコード部１０１により出力されたコンポーネント信号に対して、ノイズ除去適応処理を施す。
【０１０３】
次に、図３と図４のフローチャートを参照して、図２の信号処理システム１の処理例について説明する。
【０１０４】
図３のステップＳ１において、信号処理装置１１の信号処理部２１は、入力信号６１であるコンポジット信号を入力する。
【０１０５】
ステップＳ２において、信号処理部２１の制御部８２は、アルゴリズムベイ１２が装着されているか否かを判定する。
【０１０６】
ステップＳ２において、アルゴリズムベイ１２が装着されていないと判定した場合、制御部８２は、ステップＳ３において、スイッチ８３を１/３変換部８１側に切り替え、１/３変換部８１から出力されるコンポーネント信号（１/３変換部８１により、ステップＳ１の処理で入力されたコンポジット信号（入力信号６１）に１/３変換が施されて、生成されたコンポーネント信号）を、出力信号６２として出力する。
【０１０７】
これに対して、ステップＳ２において、アルゴリズムベイ１２が装着されていると判定した場合、制御部８２は、ステップＳ５において、アルゴリズムベイ１２の制御部９１に制御を委譲する（なお、以下、その時点まで制御を行っていた制御部（この時点では、信号処理装置１１の制御部８２）が、その制御を、他の制御部（ここでは、アルゴリズムベイ１２の制御部９１）に委譲することを、指揮権を譲渡すると称する）。
【０１０８】
図４のステップＳ６において、制御部９１は、DVDプレーヤ７１と無線接続されているか否かを判定する。具体的には、制御部９１は、電波検出部９７により検出された所定のレベル以上の電波強度の電波を出力している通信相手の識別番号（例えば、グローバルユニークID）を受け取り、その識別番号から通信相手がDVDプレーヤ７１であるか否かを判定する。
【０１０９】
ステップＳ６において、アルゴリズムベイ１２が、DVDプレーヤ７１に無線接続されていると判定された場合、ステップＳ７乃至Ｓ１１、Ｓ１６、および、Ｓ１７の処理が実行されて、DVDプレーヤ７１（MPEGデコード部１０１）からのコンポーネント信号に、DVDプレーヤ７１とアルゴリズムベイ１２の協調分担によるクラス分類適応処理が施され、それが出力信号６２として外部に出力される。
【０１１０】
即ち、ステップＳ７において、制御部９１は、アルゴリズムベイ１２のスイッチ９４を、解像度創造用係数記憶部９６側に切り換える。
【０１１１】
ステップＳ８において、制御部９１は、無線インタフェー３５、および、無線インタフェース１０５を介して、DVDプレーヤ７１のスイッチ１０６を、ノイズ除去用係数記憶部１０８側に切り換える。
【０１１２】
これにより、DVDプレーヤ７１のMPEGデコード部１０１より出力されたコンポーネント信号が、特徴検出部１０２、および、適応処理部１０３によりクラス分類適応処理が施され（ノイズ除去用係数記憶部１０８に記憶されているノイズ除去用係数を利用して、ノイズ除去適応処理が施され）、インタフェース１０４、および、信号処理装置１１のインタフェース８４を介して制御部８２に供給される。
【０１１３】
信号処理装置１１の制御部８２に供給されたDVDプレーヤ７１からのコンポーネント信号は、さらに、インタフェース２２、および、アルゴリズムベイ１２のインタフェース３１を介して、制御部９１に供給される。
【０１１４】
このとき、ステップＳ９において、制御部９１は、ＤＶＤプレーヤ７１からのコンポーネント信号を受信し、特徴検出部９２と適応処理部９３に供給する。
【０１１５】
ステップＳ１０において、特徴検出部９２は、供給されたDVDプレーヤ７１からのコンポーネント信号の特徴を検出し、そのクラスを決定し、適応処理部９３に供給する。
【０１１６】
ステップＳ１１において、適応処理部９３は、解像度創造用係数記憶部９６に記憶されている係数のうちの、ステップＳ１０の処理で特徴検出部９２により決定されたクラスに対応する係数（解像度創造用係数）を利用して、DVDプレーヤ７１からのコンポーネント信号に適応処理（解像度創造適応処理）を施し、インタフェース３１、および、信号処理装置１１のインタフェース２２を介して制御部８２に供給する。
【０１１７】
ステップＳ１６において、アルゴリズムベイ１２の制御部９１は、信号処理装置１１の制御部８２に指揮権を譲渡する。
【０１１８】
ステップＳ１７において、信号処理装置１１の制御部８２は、スイッチ８３を、制御部８２自身側に切り換え、アルゴリズムベイ１２からのコンポーネント信号（ステップＳ１１の処理でアルゴリズムベイ１２より供給された、DVDプレーヤ７１からのコンポーネント信号）を、出力信号６２として出力する。
【０１１９】
これに対して、ステップＳ６において、アルゴリズムベイ１２が、DVDプレーヤ７１に無線接続されていないと判定された場合、ステップＳ１２乃至Ｓ１７の処理が実行されて、コンポジット信号（入力信号６１）が、アルゴリズムベイ１２により、コンポーネント信号に変換されるとともに、クラス分類適応処理（ただし、解像度創造適応処理のみ）が施されて、それが出力信号６２として外部に出力される。
【０１２０】
即ち、ステップＳ１２において、アルゴリズムベイ１２の制御部９１は、アルゴリズムベイ１２のスイッチ９４を、１/３変換および解像度創造用係数記憶部９５側に切り換える。
【０１２１】
ステップＳ１３において、制御部９１は、信号処理装置１１の制御部８２からのコンポジット信号（図３のステップＳ１の処理で制御部８２に入力されたコンポジット信号（入力信号６１））を、インタフェース２２、および、インタフェース３１を介して受信し、特徴検出部９２と適応処理部９３に供給する。
【０１２２】
ステップＳ１４において、特徴検出部９２は、供給されたコンポジット信号（入力信号６１）の特徴を検出し、そのクラスを決定し、適応処理部９３に供給する。
【０１２３】
ステップＳ１５において、適応処理部９３は、１/３変換および解像度創造用係数記憶部９５に記憶されている係数のうちの、ステップＳ１４の処理で特徴検出部９２により決定されたクラスに対応する係数（１/３変換および解像度創造用係数）を利用して、コンポジット信号（入力信号６１）に適応処理（１/３変換および解像度創造適応処理）を施し、コンポーネント信号にする。このコンポーネント信号は、インタフェース３１、および、信号処理装置１１のインタフェース２２を介して制御部８２に供給される。
【０１２４】
ステップＳ１６において、アルゴリズムベイ１２の制御部９１は、信号処理装置１１の制御部８２に指揮権を譲渡する。
【０１２５】
ステップＳ１７において、信号処理装置１１の制御部８２は、スイッチ８３を、制御部８２自身側に切り換え、アルゴリズムベイ１２からのコンポーネント信号（ステップＳ１５の処理でアルゴリズムベイ１２より供給された、入力信号６１（コンポジット信号）に対応するコンポーネント信号）を、出力信号６２として出力する。
【０１２６】
図３に戻り、ステップＳ３、または、図３のステップＳ１７の処理が実行された後、ステップ４において、制御部８２は、全ての信号（入力信号６１、または、DVDプレーヤ７１からの信号）が処理されたか否かを判定する。
【０１２７】
制御部８２は、まだ全ての信号が処理されていないと判定した場合、その処理を、ステップＳ１に戻し、それ以降の処理を繰り返す。即ち、全ての信号が、コンポーネント信号である出力信号６２として外部に出力される。
【０１２８】
そして、最後の出力信号６２が出力されると、ステップＳ４において、全ての信号が処理されたと判定され、その処理が終了される。
【０１２９】
このように、アルゴリズムベイ１２の制御部９１は、電波検出部９７によりDVDプレーヤ７１が検出された場合、クラス分類適応処理部９３によるクラス分類適応処理に利用する係数を、これまで利用していた（DVDプレーヤ７１が接続されない場合に利用されていた）１/３変換および解像度創造用係数から、解像度創造用係数に変更する（スイッチ９４を、１/３変換および解像度創造用係数記憶部９５側から、解像度創造用係数記憶部９６側に切り換える）。
【０１３０】
さらに、アルゴリズムベイ１２の制御部９１は、DVDプレーヤ７１の適応処理部１０３がクラス分類適応処理を行う場合に利用する係数として、ノイズ除去用係数を、無線インタフェース３５を介してDVDプレーヤ７１に指定する（無線インタフェース３５、および、無線インタフェース１０５を介して、スイッチ１０６を、解像度創造用係数記憶部１０７側から、ノイズ除去用係数記憶部１０８側に切り換える）。
【０１３１】
そして、アルゴリズムベイ１２の制御部９１は、信号処理装置１１の信号処理部２１の機能を、「DVDプレーヤ７１からのコンポーネント信号（ノイズ除去適応処理（クラス分類適応処理）が施されたコンポーネント信号）に対して、さらに、適応処理部９３により解像度創造適応処理（クラス分類適応処理）が施された信号を、出力信号６２として出力する機能」に変更するように制御する。
【０１３２】
換言すると、信号処理装置１１の制御部８２は、アルゴリズムベイ１２にDVDプレーヤ７１が無線接続されている場合、信号処理の１つの機能として、「アルゴリズムベイ１２から供給される、DVDプレーヤ７１とアルゴリズムベイ１２の協調分担によるクラス分類適応処理が施された、DVDプレーヤ７１からの信号を、出力信号６２として出力する機能」を利用する。
【０１３３】
（第２実施形態）
図５は、本発明の第２実施形態が適用される信号処理システム１の構成例を表しており、図２のそれに対応する部分には、対応する符号が付してある。
【０１３４】
即ち、図５の信号処理装置１１（第２実施形態が適用される信号処理装置１１）は、図２の信号処理装置１１（第１実施形態が適用される信号処理装置１１）と基本的に同一の構成とされる。
【０１３５】
図５のアルゴリズムベイ１２には、インタフェース３１、制御部１６１、特徴検出部１６２、適応処理部１６３、１/３変換および解像度創造用係数記憶部１６５、電波検出部１６６、および、無線インタフェース３５が設けられている。これらの図５のインタフェース３１、制御部１６１、特徴検出部１６２、適応処理部１６３、１/３変換および解像度創造用係数記憶部１６５、電波検出部１６６、および、無線インタフェース３５のそれぞれは、図２のアルゴリズムベイ１２のインタフェース３１、制御部９１、特徴検出部９２、適応処理部９３、１/３変換および解像度創造用係数記憶部９５、電波検出部９７、および、無線インタフェース３５のそれぞれと同一の構成とされる。
【０１３６】
ただし、図５のアルゴリズムベイ１２には、図２のスイッチ９４に対応するスイッチは設けられておらず、また、解像度創造用係数記憶部９６の代わりに、係数種記憶部１６４が設けられている。
【０１３７】
係数種記憶部１６４は、ノイズ除去と解像度創造を一括して適応処理により行うためのタップ係数を生成するための生成式に利用する係数（以下、タップ係数と区別するために、係数種と称する）を記憶している。
【０１３８】
なお、以下、ノイズ除去と解像度創造を一括して行う適応処理を、他の適応処理と区別するために、ノイズ除去および解像度創造適応処理と称する。また、ノイズ除去および解像度創造適応処理に利用するタップ係数を、以下、ノイズ除去および解像度創造用係数と称する。
【０１３９】
また、係数種記憶部１６４は、制御部１６１の制御に基づいて、この係数種から、ノイズ除去および解像度創造用係数を生成し、生成したノイズ除去および解像度創造用係数のうちの一部を自分自身の空きメモリに記憶するとともに、残りのノイズ除去および解像度創造用係数を、制御部１６１に供給する。
【０１４０】
制御部１６１は、供給された係数を、無線インタフェース３５を介して後述するＢＳ（Broadcasting Satellite）チューナ１５１の係数用記憶部１７８に記憶させる。
【０１４１】
このように、係数種記憶部１６４は、ノイズ除去および解像度創造用係数を生成するブロックでもあるので、以下、適宜、ノイズ除去および解像度創造用係数生成部とも称する。
【０１４２】
なお、係数種からタップ係数を生成する方法は、例えば、以下の通りとされる。
【０１４３】
即ち、上述した式（１）で利用するタップ係数wjは、係数種をｑjk（kは、０乃至Kの整数値。ただし、ここでは、Kは、例えば、9とする）と表すと、式（１３）で示されるような、パラメータｓ，ｚを含む生成式によって生成される。
wj＝qj0＋qj1ｓ＋qj2ｚ＋qj3ｓ2＋qj4ｓｚ＋qj5ｚ2＋qj6ｓ3＋qj7ｓ2ｚ＋qj8ｓｚ2＋qj9ｚ3      ・・・（１３）
【０１４４】
以上、係数種からタップ係数を生成する方法を簡単に説明したが、その詳細は、例えば、本出願人により先に出願された特願２００１−１１０６９５号に開示されている。
【０１４５】
協調分担先であるBSチューナ１５１には、MPEG方式により符号化された画像データ（BS放送の画像データ）を受信し、それをデコードして、コンポーネント信号として出力するMPEGデコード部１７１、並びに、MPEGデコード部１７１より供給されたコンポーネント信号に対して、上述したクラス分類適応処理を施す特徴検出部１７２、および、適応処理部１７３が設けられている。
【０１４６】
BSチューナ１５１にはまた、信号処理装置１１のインタフェース８４と相互に通信するインタフェース１７４、アルゴリズムベイ１２の無線インタフェース３５と相互に無線通信する無線インタフェース１７５、適応処理部１７３による適応処理で利用するタップ係数を選択するためのスイッチ１７６、ノイズ除去用係数を記憶するノイズ除去用係数記憶部１７７、並びに、アルゴリズムベイ１２の制御部１６１より無線インタフェース３５および無線インタフェース１７５を介して供給されるタップ係数（上述したアルゴリズムベイ１２の係数種記憶部（ノイズ除去および解像度創造用係数生成部）１６４により生成されるノイズ除去および解像度創造用係数）を記憶する係数用記憶部１７８が設けられている。
【０１４７】
スイッチ１７６は、通常、ノイズ除去用係数記憶部１７７側に切り換えられており、適応処理部１７３は、MPEGデコード部１７１からのコンポーンネント信号に対して、ノイズ除去用係数記憶部１７７に記憶されているノイズ除去用係数を利用して、ノイズ除去適応処理を施す。
【０１４８】
これに対して、BSチューナ１５１がアルゴリズムベイ１２と協調分担してクラス分類適応処理を施す場合、アルゴリズムベイ１２の制御部１６１の無線インタフェース３５および無線インタフェース１７５を介する制御により、スイッチ１７６は、係数用記憶部１７８側に切り換えられる。この場合、適応処理部１７３は、係数用記憶部１７８に記憶されているノイズ除去および解像度創造用係数を利用して、MPEGデコード部１７１からのコンポーネント信号に対して、ノイズ除去および解像度創造適応処理を施す。
【０１４９】
次に、図６と図７のフローチャートを参照して、図５の信号処理システム１の処理例について説明する。
【０１５０】
なお、ここでは、信号処理装置１１のインタフェース８４とBSチューナ１５１のインタフェース１７４は、予め接続されているものとする。
【０１５１】
図６のステップＳ３１乃至Ｓ３５の処理のそれぞれは、上述した図３のステップＳ１乃至Ｓ５のそれぞれと基本的に同様である。即ち、図６の信号処理装置１１にアルゴリズムベイ１２が接続されていない場合の信号処理システム１の処理は、図３のそれと基本的に同様である。
【０１５２】
また、図７のステップＳ４３乃至Ｓ４７の処理のそれぞれは、図４のステップＳ１３乃至Ｓ１７の処理のそれぞれと基本的に同様である。即ち、協調分担先（ただし、図５の例では、ＢＳチューナ１５１）に無線接続されていないと判定された場合（図７のステップＳ３６の処理でＮＯと判定された場合）の信号処理システム１の処理は、図４のステップＳ６の処理でＮＯと判定された場合の図２の信号処理システム１の処理と基本的に同様である（ただし、図２の場合は、アルゴリズムベイ１２のスイッチ９４の切り換え処理（図４のステップＳ１２の処理）が必要とされる）。
【０１５３】
従って、以下、図７のステップＳ３７乃至Ｓ４２の処理についてのみ説明する。
【０１５４】
即ち、ステップＳ３６の処理において、図５のＢＳチューナ１５１と無線接続されていると判定された場合（通信相手がBSチューナ１５１であるか否かは、上述した識別番号により判定される）、ステップＳ３７において、アルゴリズムベイ１２の制御部１６１は、無線インタフェー３５、および、無線インタフェース１７５を介して、ＢＳチューナ１５１のスイッチ１７６を、係数用記憶部１７８側に切り換える。
【０１５５】
ステップＳ３８において、制御部１６１は、係数種記憶部（ノイズ除去および解像度創造用係数生成部）１６４を制御し、係数種記憶部１６４に記憶されている係数種からノイズ除去および解像度創造用係数を生成し、係数種記憶部１６４の空きメモリ、または、ＢＳチューナ１５１の係数用記憶部１７８に記憶させる。
【０１５６】
換言すると、上述したように、係数種記憶部１６４は、自分自身が予め記憶している係数種から、ノイズ除去および解像度創造用係数を生成し、生成したノイズ除去および解像度創造用係数のうちの一部を自分自身の空きメモリに記憶するとともに、残りのノイズ除去および解像度創造用係数を、制御部１６１に供給する。
【０１５７】
制御部１６１は、供給されたノイズ除去および解像度創造用係数を、無線インタフェース３５、および、ＢＳチューナ１５１の無線インタフェース１７５を介して、係数用記憶部１７８に記憶させる。
【０１５８】
これにより、ＢＳチューナ１５１のMPEGデコード部１７１より出力されたコンポーネント信号は、特徴検出部１７２、および、適応処理部１７３によりクラス分類適応処理が施され（係数用記憶部１７８に記憶されているノイズ除去および解像度創造用係数を利用して、ノイズ除去および解像度創造適応処理が施され）、インタフェース１７４、および、信号処理装置１１のインタフェース８４を介して制御部８２に供給される。
【０１５９】
アルゴリズムベイ１２の制御部１６１は、ステップＳ３９において、ＢＳチューナ１５１の係数用記憶部１７８に、ＢＳチューナ１５１の特徴検出部１７２により決定されたクラスに対応する係数が記憶されているか否かを判定する。
【０１６０】
例えば、アルゴリズムベイ１２の制御部１６１は、信号処理装置１１の制御部８２に、ノイズ除去および解像度創造適応処理が施されたコンポーネント信号（ＢＳチューナ１５１からのコンポーネント信号）が供給されてきたことを検出した場合、ステップＳ３９において、ＢＳチューナ１５１の係数用記憶部１７８に、ＢＳチューナ１５１の特徴検出部１７２により決定されたクラスに対応する係数が記憶されていると判定する。
【０１６１】
そして、ステップＳ４１において、アルゴリズムベイ１２の制御部１６１は、信号処理装置１１の制御部８２に指揮権を譲渡する。
【０１６２】
ステップＳ４２において、信号処理装置１１の制御部８２は、スイッチ８３を、制御部８２自身側に切り換え、そのＢＳチューナ１５１から出力されたコンポーネント信号を、出力信号６２として出力する。
【０１６３】
これに対して、例えば、信号処理装置１１の制御部８２に、ノイズ除去および解像度創造適応処理が施されたコンポーネント信号（ＢＳチューナ１５１からのコンポーネント信号）が供給されたことが検出されない場合（または、例えば、ＢＳチューナ１５１の適応処理部１７３より、これから適応処理を施すコンポーネント信号のクラス（特徴検出部１７２により決定されたクラス）に対応するノイズ除去および解像度創造用係数が係数用記憶部１７８に記憶されていないことを表す信号が、無線インタフェース１７５、および、無線インタフェース３５を介して供給されてきた場合）、ステップＳ３９において、制御部１６１は、ＢＳチューナ１５１の係数用記憶部１７８に、ＢＳチューナ１５１の特徴検出部１７２により決定されたクラスに対応する係数が記憶されていないと判定する。
【０１６４】
そこで、ステップＳ４０において、制御部１６１は、係数種記憶部１６４に記憶されている、そのクラスに対応する係数（ステップＳ３８の処理で係数種記憶部１６４の空きメモリに記憶された係数のうちの、クラスに対応する係数）を読出し、無線インタフェース３５、および、ＢＳチューナ１５１の無線インタフェース１７５を介して適応処理部１７３に提供する。
【０１６５】
これにより、ＢＳチューナ１５１のMPEGデコード部１７１より出力されたコンポーネント信号（特徴検出部１７２によりクラスが決定されたコンポーネント信号）は、適応処理部１７３により適応処理が施され（ステップＳ４０の処理でアルゴリズムベイ１２の制御部１６１（係数種記憶部１６４）より供給されたノイズ除去および解像度創造用係数を利用して、ノイズ除去および解像度創造適応処理が施され）、インタフェース１７４、および、信号処理装置１１のインタフェース８４を介して制御部８２に供給される。
【０１６６】
このとき、ステップＳ４１において、アルゴリズムベイ１２の制御部１６１は、信号処理装置１１の制御部８２に指揮権を譲渡する。
【０１６７】
ステップＳ４２において、信号処理装置１１の制御部８２は、スイッチ８３を、制御部８２自身側に切り換え、そのＢＳチューナ１５１から出力されるコンポーネント信号を、出力信号６２として出力する。
【０１６８】
このように、図５の信号処理システム１においては、電波検出部１６６によりＢＳチューナ１５１が検出された場合、アルゴリズムベイ１２の制御部１６１は、係数種記憶部１６４を制御して、ノイズ除去および解像度創用係数を生成させ、それを、無線インタフェース３５、および、ＢＳチューナ１５１の無線インタフェース１７５を介して係数用記憶部１７８に記憶させる。
【０１６９】
これにより、アルゴリズムベイ１２は、信号処理装置１１の信号処理部２１の信号処理の機能を、「ＢＳチューナ１５１のMPEGデコード部１７１からのコンポーネント信号に対して、係数用記憶部１７８に記憶されたノイズ除去および解像度創造用係数を利用して、ノイズ除去および解像度創造適応処理（クラス分類適応処理）が施された信号を、出力信号６２として出力する機能」に変更するように制御することが可能になる。
【０１７０】
（第３実施形態）
以上、第１と第２実施形態においては、アルゴリズムベイ１２と無線接続が可能な１台の他の信号処理装置（図２のDVDプレーヤ７１、または、図５のBSチューナ１５１）に応じて、信号処理装置１１の信号処理の機能が変化する例について説明した。
【０１７１】
しかしながら、図１に示されるように、アルゴリズムベイ１２と無線接続が可能な他の信号処理装置の台数は、特に限定されない。そこで、第３実施形態においては、アルゴリズムベイ１２と無線接続が可能な複数の他の信号処理装置のそれぞれに応じて、信号処理装置１１の信号処理の機能が変化する例について説明する。
【０１７２】
図８は、本発明の第３実施形態が適用される信号処理システム１の構成例を表しており、図１のそれに対応する部分には、対応する符号が付してある。
【０１７３】
図８の信号処理装置１１（第３実施形態が適用される信号処理装置１１）は、図２と図５の信号処理装置１１（第１と第２実施形態が適用される信号処理装置１１）と基本的に同一の構成とされる。即ち、図８の１/３変換部２１１、制御部２１２、スイッチ２１３、インタフェース２１４、および、インタフェース２２のそれぞれは、図２と図５の１/３変換部８１、制御部８２、スイッチ８３、インタフェース８４、および、インタフェース２２のそれぞれと基本的に同一の構成とされる。
【０１７４】
ただし、図８の制御部２１２は、後述するように、ＢＳチューナ２０１、または、ＤＶＤプレーヤ２０２から出力される信号のうちのいずれか一方を、出力信号６２にすることを指示する制御信号２１５を入力する。
【０１７５】
図８のアルゴリズムベイ１２の構成は、図５のアルゴリズムベイ１２に、さらに、図２のスイッチ９４、１/３変換および解像度創造用係数記憶部９５、並びに、解像度創造用係数記憶部９６を組み合わせた構成とされる。
【０１７６】
即ち、図８のアルゴリズムベイ１２には、インタフェース３１、制御部２２１、特徴検出部２２２、適応処理部２２３、係数種記憶部２２７、電波検出部２２８、および、無線インタフェース３５が設けられており、これらは、図５のアルゴリズムベイ１２のインタフェース３１、制御部１６１、特徴検出部１６２、適応処理部１６３、係数種記憶部１６４、電波検出部１６６、および、無線インタフェース３５のそれぞれと基本的に同一の構成とされる。
【０１７７】
図８のアルゴリズムベイ１２は、それらに加えて、さらに、図２のスイッチ９４と基本的に同一の構成のスイッチ２２４、図２の１/３変換および解像度創造用係数記憶部９５と基本的に同一の構成の１/３変換および解像度創造用係数記憶部２２５、並びに、図２の解像度創造用係数記憶部９６と基本的に同一の構成の解像度創造用係数記憶部２２６が設けられている。
【０１７８】
また、協調分担先であるBSチューナ２０１は、図５のそれと基本的に同一の構成とされる。即ち、BSチューナ２０１のMPEGデコード部２３１乃至係数用記憶部２３８のそれぞれは、図５のMPEGデコード部１７１乃至係数用記憶部１７８のそれぞれと基本的に同一の構成とされる。
【０１７９】
協調分担先であるDVDプレーヤ２０２は、図２のそれと基本的に同一の構成とされる。即ち、DVDプレーヤ２０２のMPEGデコード部２４１乃至係数用記憶部２４８のそれぞれは、図２のDVDプレーヤ７１のMPEGデコード部１０１乃至係数用記憶部１０８のそれぞれと基本的に同一の構成とされる。
【０１８０】
ただし、図８のDVDプレーヤ２０２にはさらに、BSチューナ２０１の係数用記憶部２３８と基本的に同一の構成の係数用記憶部２４９が設けられている。
【０１８１】
次に、図９乃至図１２のフローチャートを参照して、図８の信号処理システム１の処理例について説明する。
【０１８２】
なお、ここでは、信号処理装置１１のインタフェース２１４とBSチューナ２０１のインタフェース２３４、並びに、信号処理装置１１のインタフェース２１４とDVDプレーヤ２０２のインタフェース２４４のそれぞれは、予め接続されているものとする。
【０１８３】
図９のステップＳ５１乃至Ｓ５４の処理のそれぞれは、上述した図３のステップＳ１乃至Ｓ４（図６のステップＳ３１乃至Ｓ３４）のそれぞれと基本的に同様である。即ち、図８の信号処理装置１１にアルゴリズムベイ１２が接続されていない場合の信号処理システム１の処理は、図３や図６のそれと基本的に同様あるので、それらの処理の説明は省略する。
【０１８４】
ステップＳ５２において、アルゴリズムベイ１２が装着されていると判定した場合、信号処理装置１１の制御部２１２は、ステップＳ５５において、アルゴリズムベイ１２の制御部２２１に指揮権を譲渡する。
【０１８５】
ステップＳ５６において、制御部２２１は、通信相手の識別番号を受け取り、それに基づいて、通信相手がDVDプレーヤ２０２であるか否か（DVDプレーヤ２０２と接続されているか否か）を判定する。
【０１８６】
ステップＳ５６において、DVDプレーヤ２０２と接続されていないと判定された場合、図１０のステップＳ５８乃至Ｓ６９の処理が行われる。この処理は、協調分担先としてDVDプレーヤ２０２が接続されていない場合の処理（協調分担先がＢＳチューナ２０１のみの場合の処理）となるので、図５の信号処理装置１の処理（上述した図７のステップＳ３６乃至Ｓ４７の処理）と基本的に同様である。従って、それらの説明は省略する。
【０１８７】
これに対して、ステップＳ５６において、DVDプレーヤ２０２が接続されていると判定された場合、制御部２２１は、さらに、ステップＳ５７において、ＢＳチューナ２０１と接続されているか否かを判定する。この判定も、通信相手の識別番号に基づいて行われる。
【０１８８】
ステップＳ５７において、ＢＳチューナ２０１と接続されていないと判定された場合、図１１のステップＳ７０乃至Ｓ７６の処理が行われる。その処理は、協調分担先としてＢＳチューナ２０１が接続されていない場合の処理（協調分担先がDVDプレーヤ２０２のみの処理）となるので、図２の信号処理装置１の処理（上述した図４のステップＳ７乃至Ｓ１１の処理）と基本的に同様である。従って、それらの説明は省略する。
【０１８９】
これに対して、ステップＳ５７において、ＢＳチューナ２０１と接続されていると判定された場合、協調分担先は、ＢＳチューナ２０１とDVDプレーヤ２０２の２台となり、この場合に行われる図１２のステップＳ７７乃至Ｓ９２の処理は、第３実施形態特有の処理となる。
【０１９０】
そこで、以下、図１２のフローチャートを参照して、ステップＳ５７の処理で、ＢＳチューナ２０１と接続されていると判定された場合の処理について詳細に説明する。
【０１９１】
はじめに、ステップＳ５７において、ＢＳチューナ２０１と接続されていると判定された場合、制御部２２１は、ステップＳ７７において、DVDプレーヤ２０２が選択されたか否かを判定する。
【０１９２】
即ち、制御部２２１は、信号処理装置１１の信号処理部２１の機能として、DVDプレーヤ２０２から出力されるコンポーネント信号を、出力信号６２として出力する機能を選択することを指示する制御信号２１５を入力した場合、DVDプレーヤ２０２が選択されたと判定する。
【０１９３】
これに対して、信号処理装置１１の信号処理部２１の機能として、ＢＳチューナ２０１から出力されるコンポーネント信号を、出力信号６２として出力する機能を選択することを指示する制御信号２１５を入力した場合、DVDプレーヤ２０２が選択されていないと判定する。
【０１９４】
ステップＳ７７の処理で、DVDプレーヤ２０２が選択されていると判定された場合、ステップＳ７８において、アルゴリズムベイ１２の制御部２２１は、無線インタフェー３５、および、無線インタフェース２４５を介して、DVDプレーヤ２０２のスイッチ２４６を、ノイズ除去用係数記憶部２４８側に切り換える。
【０１９５】
ステップＳ７９において、制御部２２１は、無線インタフェー３５、および、無線インタフェース２３５を介して、ＢＳチューナ２０１のスイッチ２３６を、係数用記憶部２３８側に切り換える。
【０１９６】
ステップＳ８０において、制御部２２１は、係数種記憶部２２７を制御して、係数種記憶部２２７に記憶されている係数種から解像度創造用係数を生成し、係数種記憶部２２７の空きメモリ、または、ＢＳチューナ２０１の係数用記憶部２３８に記憶させる。
【０１９７】
換言すると、上述したように、係数種記憶部２２７は、自分自身が予め記憶している係数種から、解像度創造用係数を生成し、生成した解像度創造用係数のうちの一部を自分自身の空きメモリに記憶するとともに、残りの解像度創造用係数を、制御部２２１に供給する。
【０１９８】
制御部２２１は、供給された解像度創造用係数を、無線インタフェース３５、および、ＢＳチューナ２０１の無線インタフェース２３５を介して、係数用記憶部２３８に記憶させる。
【０１９９】
なお、ＤＶＤプレーヤ２０２の係数用記憶部２４９に係数（解像度創造用係数）を記憶させてもよいが、スイッチ２４６がノイズ除去用係数記憶部２４８側に切り換えられているので（ステップＳ７８の処理）、その係数は利用できない。そこで、この例においては、空いているＢＳチューナ２０１の係数用記憶部２３８に係数が記憶される。
【０２００】
これにより、DVDプレーヤ２０２のMPEGデコード部２４１より出力されたコンポーネント信号は、特徴検出部２４２、および、適応処理部２４３によりクラス分類適応処理が施され（ノイズ除去用係数記憶部２４８に記憶されているノイズ除去用係数を利用して、ノイズ除去適応処理が施され）、インタフェース２４４、および、信号処理装置１１のインタフェース２１４を介して制御部２１２に供給される。
【０２０１】
信号処理装置１１の制御部２１２に供給されたDVDプレーヤ２０２からのコンポーネント信号は、さらに、インタフェース２２、および、アルゴリズムベイ１２のインタフェース３１を介して、制御部２２１に供給される。
【０２０２】
このとき、ステップＳ８１において、制御部２２１は、供給されたDVDプレーヤ２０２からのコンポーネント信号を受信し、特徴検出部２２２と適応処理部２２３に供給する。
【０２０３】
ステップＳ８２において、特徴検出部２２２は、供給されたDVDプレーヤ２０２からのコンポーネント信号の特徴を検出し、そのクラスを決定し、適応処理部２２３に供給する。
【０２０４】
ステップＳ８３において、適応処理部２２３は、係数種記憶部２２７、または、BSチューナ２０１の係数用記憶部２３８に記憶されている係数のうちの、ステップＳ８２の処理で特徴検出部２２２により決定されたクラスに対応する解像度創造用係数を利用して、DVDプレーヤ２０２からのコンポーネント信号に適応処理（解像度創造適応処理）を施し、インタフェース３１、および、信号処理装置１１のインタフェース２２を介して制御部２１２に供給する。
【０２０５】
例えば、適応処理部２２３は、ステップＳ８２の処理で特徴検出部２２２により検出されたクラスに対応する解像度創造用係数が、係数種記憶部２２７に存在する場合、係数種記憶部２２７から対応する解像度創造用係数を制御部２２１を介して読み出し、それを適応処理に利用する。
【０２０６】
これに対して、例えば、適応処理部２２３は、ステップＳ８２の処理で特徴検出部２２２により検出されたクラスに対応する解像度創造用係数が、係数種記憶部２２７に存在しない場合、BSチューナ２０１の係数種記憶部２３８から対応する解像度創造用係数を制御部２２１、無線インタフェース３５、および、無線インタフェース２３５を介して読み出し、それを適応処理に利用する。
【０２０７】
ステップＳ８４において、アルゴリズムベイ１２の制御部２２１は、信号処理装置１１の制御部２１２に指揮権を譲渡する。
【０２０８】
ステップＳ８５において、信号処理装置１１の制御部２１２は、スイッチ２１３を、制御部２１２自身側に切り換え、アルゴリズムベイ１２から出力されるコンポーネント信号（ステップＳ８３の処理でアルゴリズムベイ１２より供給された、DVDプレーヤ２０２からのコンポーネント信号）を、出力信号６２として出力する。
【０２０９】
このように、ステップＳ７７の処理でDVDプレーヤ２０２が選択されると、アルゴリズムベイ１２の制御部２２１は、係数種記憶部２２７により生成された解像度創造用係数を、係数種記憶部２２７に記憶させるとともに、さらに、無線インタフェース３５、および、無線インタフェース２３５を介してBSチューナ２０１の係数用記憶部２３８にも記憶させる。
【０２１０】
これにより、アルゴリズムベイ１２の制御部２２１は、信号処理装置１１の信号処理部２１の信号処理の機能を、「アルゴリズムベイ１２（特徴検出部２３２と適応処理部２２３）により、係数種記憶部２２７、または、BSチューナ２０１の係数用記憶部２３８に記憶された解像度創造用係数を利用して、DVDプレーヤ２０２からのコンポーネント信号（MPEGデコード部２４１から出力されたコンポーネント信号に、ノイズ除去適応処理（クラス分類適応処理）が施された信号）に、解像度創造適応処理（クラス分類適応処理）が施された信号を、出力信号６１として出力する機能」に変更するように制御することができる。
【０２１１】
これに対して、ステップＳ７７において、DVDプレーヤ２０２が選択されていないと判定された場合、ステップＳ８６において、アルゴリズムベイ１２の制御部２２１は、無線インタフェー３５、および、無線インタフェース２４５を介して、DVDプレーヤ２０２のスイッチ２４６を、係数用記憶部２４９側に切り換える。
【０２１２】
また、ステップＳ８７において、制御部２２１は、無線インタフェー３５、および、無線インタフェース２３５を介して、ＢＳチューナ２０１のスイッチ２３６を、係数用記憶部２３８側に切り換える。
【０２１３】
ステップＳ８８において、制御部２２１は、係数種記憶部２２７を制御し、係数種記憶部２２７に記憶されている係数種からノイズ除去および解像度創造用係数を生成し、係数種記憶部１６４の空きメモリ、ＢＳチューナ２０１の係数用記憶部２３８、または、DVDプレーヤ２０２の係数用記憶部２４９に記憶させる。
【０２１４】
換言すると、上述したように、係数種記憶部２２７は、自分自身が予め記憶している係数種から、ノイズ除去および解像度創造用係数を生成し、生成したノイズ除去および解像度創造用係数のうちの一部を自分自身の空きメモリに記憶するとともに、残りのノイズ除去および解像度創造用係数を、制御部２２１に供給する。
【０２１５】
制御部２２１は、供給されたノイズ除去および解像度創造用係数のうちの一部を、無線インタフェース３５、および、ＢＳチューナ２０１の無線インタフェース２３５を介して、BSチューナ２０１の係数用記憶部２３８に記憶させるとともに、残りを、無線インタフェース３５、および、DVDプレーヤ２０２の無線インタフェース２４５を介して、DVDプレーヤ２０２の係数用記憶部２４９に記憶させる。
【０２１６】
これにより、ＢＳチューナ２０１のMPEGデコード部２３１より出力されたコンポーネント信号は、特徴検出部２３２、および、適応処理部２３３によりクラス分類適応処理が施され（BSチューナ２０１の係数用記憶部２３８に記憶されているノイズ除去および解像度創造用係数を利用して、ノイズ除去および解像度創造適応処理が施され）、インタフェース２３４、および、信号処理装置１１のインタフェース２１４を介して制御部２１２に供給される。
【０２１７】
このとき、アルゴリズムベイ１２の制御部２２１は、ステップＳ８９において、ＢＳチューナ２０１の係数用記憶部２３８に、ＢＳチューナ２０１の特徴検出部２３２により決定されたクラスに対応する係数が記憶されているか否かを判定する。
【０２１８】
例えば、アルゴリズムベイ１２の制御部２２１は、信号処理装置１１の制御部２１２に、ノイズ除去および解像度創造適応処理が施されたコンポーネント信号（ＢＳチューナ２０１からのコンポーネント信号）が供給されてきたことを検出した場合、ステップＳ８９において、ＢＳチューナ２０１の係数用記憶部２３８に、ＢＳチューナ２０１の特徴検出部２３２により決定されたクラスに対応する係数が記憶されていると判定する。
【０２１９】
ステップＳ９１において、アルゴリズムベイ１２の制御部２２１は、信号処理装置１１の制御部２１２に指揮権を譲渡する。
【０２２０】
ステップＳ９２において、信号処理装置１１の制御部２１２は、スイッチ２１３を、制御部２１２自身側に切り換え、そのＢＳチューナ２０１から出力されるコンポーネント信号を、出力信号６２として出力する。
【０２２１】
これに対して、例えば、信号処理装置１１の制御部２１２に、ノイズ除去および解像度創造適応処理が施されたコンポーネント信号（ＢＳチューナ２０１からのコンポーネント信号）が供給されてきたことが検出されない場合（または、例えば、ＢＳチューナ２０１の適応処理部２３３より、これから適応処理を施すコンポーネント信号のクラス（特徴検出部２３２により決定されたクラス）に対応するノイズ除去および解像度創造用係数が係数用記憶部２３８に記憶されていないことを表す信号が、無線インタフェース２３５、および、無線インタフェース３５を介して供給されてきた場合）、ステップＳ８９において、制御部２２１は、ＢＳチューナ２０１の係数用記憶部２３８に、ＢＳチューナ２０１の特徴検出部２３２により決定されたクラスに対応する係数が記憶されていないと判定する。
【０２２２】
そこで、ステップＳ９０において、制御部２２１は、DVDプレーヤ２０２の係数用記憶部２４９、または、係数種記憶部２２７に記憶されている、そのクラスに対応する係数を読出し（DVDプレーヤ２０２の係数用記憶部２４９から読み出す場合、無線インタフェース３５、および、無線インタフェース２４５を介して読み出し）、無線インタフェース３５、および、ＢＳチューナ１５１の無線インタフェース２３５を介してBSチューナ２０１の適応処理部２３３に提供する。
【０２２３】
これにより、ＢＳチューナ２０１のMPEGデコード部２３１より出力されたコンポーネント信号（特徴検出部２３２によりクラスが決定されたコンポーネント信号）は、適応処理部２３３により適応処理が施され（ステップＳ９０の処理でアルゴリズムベイ１２の制御部２２１（アルゴリズムベイ１２の係数種記憶部２２７、または、DVDプレーヤ２０２の係数用記憶部２４９）より供給されたノイズ除去および解像度創造用係数を利用して、ノイズ除去および解像度創造適応処理が施され）、インタフェース２３４、および、信号処理装置１１のインタフェース２１４を介して制御部２１２に供給される。
【０２２４】
このとき、ステップＳ９１において、アルゴリズムベイ１２の制御部２２１は、信号処理装置１１の制御部２１２に指揮権を譲渡する。
【０２２５】
ステップＳ９２において、信号処理装置１１の制御部２１２は、スイッチ２１３を、制御部２１２自身側に切り換え、そのＢＳチューナ２０１から出力されるコンポーネント信号を、出力信号６２として出力する。
【０２２６】
このように、ステップＳ７７の処理でBSチューナ２０１が選択されると（DVDプレーヤ２０２が選択されないと）、アルゴリズムベイ１２の制御部２２１は、係数種記憶部２２７により生成されたノイズ除去および解像度創造用係数を、係数種記憶部２２７に記憶させ、さらに、無線インタフェース３５、および、無線インタフェース２３５を介してBSチューナ２０１の係数用記憶部２３８に記憶させるとともに、無線インタフェース３５、および、無線インタフェース２４５を介してDVDプレーヤ２０２の係数用記憶部２４９にも記憶させる。
【０２２７】
これにより、アルゴリズムベイ１２の制御部２２１は、信号処理装置１１の信号処理部２１の信号処理の機能を、「BSチューナ２０１（特徴検出部２３２と適応処理部２３３）により、アルゴリズムベイ１２の係数種記憶部２２７、BSチューナ２０１の係数用記憶部２３８、または、DVDプレーヤ２０２の係数用記憶部２４９のいずれかに記憶されたノイズ除去および解像度創造用係数を利用して、BSチューナ２０１のMPEGデコード部２３１からのコンポーネント信号に、ノイズ除去および解像度創造適応処理（クラス分類適応処理）が施された信号を、出力信号６１として出力する機能」に変更するように制御することができる。
【０２２８】
以上説明したように、図１の信号処理システム１においては、アルゴリズムベイ１２が、これから無線通信する他の信号処理装置（例えば、図１の第２の信号処理装置１３、または、第３の信号処理装置１４）の種類（ＤＶＤプレーヤ、ＢＳチューナ等の種類）を検出した場合、第１の信号処理装置１１の信号処理の機能を、検出した他の信号処理装置の種類に対応する機能に変更するように制御するようにしたので、以下のような効果を奏することが可能になる。
【０２２９】
即ち、第１の効果として、上述した課題を解決することが可能になる。換言すると、複数の基板（アルゴリズムベイ１２）を用意する必要がなくなるので、ユーザは、１枚のアルゴリズムベイ１２を利用して、複数の機能の中から所望の機能を簡単に選択し、実行させることができる。
【０２３０】
第２の効果として、複数の基板（アルゴリズムベイ１２）を用意する必要がなくなるので、信号処理装置１１をコンパクトに製造することができる。従って、信号処理装置１１の製造コストや複数のアルゴリズムベイ１２の製造コストを削減することが可能になる。
【０２３１】
第３の効果として、アルゴリズムベイと、そのアルゴリズムベイと無線通信する他の信号処理装置（例えば、上述したDVDプレーヤ、BSチューナ等のAV（Aodio Visial）機器）との位置関係に対応する、最適な信号処理の機能を利用することができるので、最適な信号処理が施された高質な出力を提供することが可能になる。
【０２３２】
第４の効果として、例えば、第３実施形態で説明したように、他の信号処理装置を複数集め、それらと協調分担して信号処理を施すことができるので、さらに高質な出力を提供することが可能になる。
【０２３３】
上述した一連の処理は、ハードウエアにより実行させることもできるが、ソフトウエアにより実行させることができる。
【０２３４】
この場合、上述した各種の信号処理装置や、アルゴリズムベイに相当する信号処理装置は、例えば、図１３に示されるようなパーソナルコンピュータにより構成される。
【０２３５】
図１３に示されるように、CPU（Central Processing Unit）３０１は、ROM（Read Only Memory）３０２に記録されているプログラム、または記憶部３０８からRAM（Random Access Memory）３０３にロードされたプログラムに従って各種の処理を実行する。RAM３０３にはまた、CPU３０１が各種の処理を実行する上において必要なデータなども適宜記憶される。
【０２３６】
CPU３０１、ROM３０２、およびRAM３０３は、バス３０４を介して相互に接続されている。このバス３０４にはまた、入出力インタフェース３０５も接続されている。
【０２３７】
入出力インタフェース３０５には、キーボード、マウスなどよりなる入力部３０６、ディスプレイなどよりなる出力部３０７、ハードディスクなどより構成される記憶部３０８、モデム、ターミナルアダプタなどより構成される通信部３０９が接続されている。
【０２３８】
通信部３０９には、有線インタフェース３１２が接続されている。即ち、通信部３０９は、有線インタフェース３１２を介して他の信号処理装置との有線による通信処理を行う。また、図１３のパーソナルコンピュータが、アルゴリズムベイに相当するものである場合、通信部３０９にはさらに、無線インタフェース３１３が接続されている。この場合、通信部３０９は、無線インタフェース３１３を介して他の信号処理装置との無線による通信処理を行う。
【０２３９】
入出力インタフェース３０５にはまた、必要に応じてドライブ３１０が接続され、磁気ディスク、光ディスク、光磁気ディスク、或いは半導体メモリなどよりなるリムーバブル記録媒体３１１が適宜装着され、それらから読み出されたコンピュータプログラムが、必要に応じて記憶部３０８にインストールされる。
【０２４０】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２４１】
この記録媒体は、図１３に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）３１１により構成されるだけでなく、装置本体に予め組み込まれた状態でユーザに提供される、プログラムが記録されているROM３０２や、記憶部３０８に含まれるハードディスクなどで構成される。
【０２４２】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０２４３】
また、本明細書において、システムとは、複数の装置や処理部により構成される装置全体を表すものである。
【０２４４】
【発明の効果】
以上のごとく、本発明の信号処理システムおよび方法によれば、信号処理の内容を変更することができるシステムを実現することが可能となる。特に、信号処理装置の信号処理の複数の機能を容易に選択し、利用することができるシステムを実現することが可能となる。
【０２４５】
本発明の信号処理装置および方法によれば、信号処理の内容を変更することができる。特に、信号処理装置の信号処理の複数の機能を容易に選択し、利用することが可能となる。
本発明の基板によれば、信号処理の内容を変更することができる。特に、基板の信号処理の複数の機能を容易に選択し、利用することが可能となる。
【図面の簡単な説明】
【図１】本発明が適用される信号処理システムの構成例を示すブロック図である。
【図２】図１の信号処理システムの具体的な構成の例を示すブロック図である。
【図３】図２の信号処理システムの処理を説明するフローチャートである。
【図４】図２の信号処理システムの処理を説明するフローチャートである。
【図５】図１の信号処理システムの具体的な他の構成例を示すブロック図である。
【図６】図５の信号処理システムの処理を説明するフローチャートである。
【図７】図５の信号処理システムの処理を説明するフローチャートである。
【図８】図１の信号処理システムの具体的な他の構成例を示すブロック図である。
【図９】図８の信号処理システムの処理を説明するフローチャートである。
【図１０】図８の信号処理システムの処理を説明するフローチャートである。
【図１１】図８の信号処理システムの処理を説明するフローチャートである。
【図１２】図８の信号処理システムの処理を説明するフローチャートである。
【図１３】本発明が適用される信号処理装置の他の構成例を示すブロック図である。
【符号の説明】
１  信号処理システム，  １１  第１の信号処理装置，  １２  アルゴリズムベイ，  １３  第２の信号処理装置，  １４  第３の信号処理装置，  ２１  信号処理部，  ２２  インタフェース，  ３１  インタフェース，  ３２  第１の機能提供部，  ３３  第２の機能提供部，  ３４  セレクタ部，  ３５無線インタフェース，  ３６  信号処理装置検出部，  ７１  DVDプレーヤ，  ９１  制御部，  ９２  特徴検出部，  ９３  適応処理部，  ９４  スイッチ，  ９５  １/３変換および解像度創造用係数記憶部，  ９６  解像度創造用係数記憶部，９７  電波検出部，  １０２  特徴検出部，  １０３  適応処理部，  １０５無線インタフェース，  １０６  スイッチ，  １０７  解像度創造用係数記憶部，  １０８  ノイズ除去用係数記憶部，  １６４  係数種記憶部（ノイズ除去および解像度創造用係数生成部），  １７８  係数種記憶部２２７  係数種記憶部，  ２３８  係数用記憶部，  ２４９  係数用記憶部
【図１】
0004238522.tif 000010
【図２】
0004238522.tif 000011
【図３】
0004238522.tif 000012
【図４】
0004238522.tif 000013
【図５】
0004238522.tif 000014
【図６】
0004238522.tif 000015
【図７】
0004238522.tif 000016
【図８】
0004238522.tif 000017
【図９】
0004238522.tif 000018
【図１０】
0004238522.tif 000019
【図１１】
0004238522.tif 000020
【図１２】
0004238522.tif 000021
【図１３】
0004238522.tif 000022